(57)【要約】  ある種の実施形態によれば、測定報告のための無線デバイスにおける方法は、以下を含む：近隣セルのための測定報告を実行するための命令を受信することと、近隣セルの無線アクセス技術（ＲＡＴ）及び近隣セルの周波数範囲に少なくとも基づいて、測定報告を実行するための測定報告タイマ値を決定することと、決定された測定報告タイマ値によって指定された時間に近隣セルの無線信号を測定すること。【選択図】図４
2021523616.tif 000002
【特許請求の範囲】
【請求項１】
測定報告のための無線デバイスによって実行される方法であって、
近隣セルのための測定報告を実行するための命令を受信すること（８１２）と、
前記近隣セルの無線アクセス技術（ＲＡＴ）及び前記近隣セルの周波数範囲に少なくとも基づいて、前記測定報告を実行するための測定報告タイマ値を決定すること（８１６）と、
前記決定された測定報告タイマ値によって指定された時間に前記近隣セルの無線信号を測定すること（８１８）と
を含む、方法。
【請求項２】
前記測定報告が、セルグローバル識別子（ＣＧＩ）報告を含む、請求項１に記載の方法。
【請求項３】
前記近隣セルＲＡＴが、第５世代（５Ｇ）新無線（ＮＲ）である、請求項１又は２に記載の方法。
【請求項４】
前記測定報告タイマ値を決定することが、第１の周波数範囲で動作する近隣セルの第１の測定報告タイマ値と第２の周波数範囲で動作する近隣セルの第２の測定報告タイマ値との両方を決定することを含む、請求項１から３のいずれか一項に記載の方法。
【請求項５】
前記第１の周波数範囲が、４５０メガヘルツから６ギガヘルツまでの範囲を含み、前記第１の測定報告タイマの値が、２秒であり、前記第２の周波数範囲が、２４．２５ギガヘルツから５２．６ギガヘルツまでの範囲を含み、前記第２の測定報告タイマの値が、１６秒である、請求項４に記載の方法。
【請求項６】
前記無線デバイスが、２つ以上のトランシーバを備え、前記方法がさらに、前記測定報告を実行するための前記２つ以上のトランシーバのうちの１つを選択すること（８１４）を含み、かつ、前記測定報告タイマ値を決定することがさらに、前記選択されたトランシーバに基づく、請求項１から５のいずれか一項に記載の方法。
【請求項７】
前記選択されたトランシーバに基づいて前記測定報告タイマ値を決定することが、前記選択されたトランシーバの周波数範囲に基づいて前記測定報告タイマ値を決定することを含む、請求項６に記載の方法。
【請求項８】
前記選択されたトランシーバに基づいて前記測定報告タイマ値を決定することが、前記選択されたトランシーバのＲＡＴに基づいて前記測定報告タイマ値を決定することを含む、請求項６又は７に記載の方法。
【請求項９】
測定報告の能力を有する無線デバイス（１１０）であって、
近隣セルのための測定報告を実行するための命令を受信することと、
前記近隣セルの無線アクセス技術（ＲＡＴ）及び前記近隣セルの周波数範囲に少なくとも基づいて、前記測定報告を実行するための測定報告タイマ値を決定することと、
前記決定された測定報告タイマ値によって指定された時間に前記近隣セルの無線信号を測定することと
を行うように動作可能な処理回路（１２０）を備える、無線デバイス。
【請求項１０】
前記測定報告が、セルグローバル識別子（ＣＧＩ）報告を含む、請求項９に記載の無線デバイス。
【請求項１１】
前記近隣セルＲＡＴが、第５世代（５Ｇ）新無線（ＮＲ）である、請求項９又は１０に記載の無線デバイス。
【請求項１２】
前記処理回路が、第１の周波数範囲で動作する近隣セルの第１の測定報告タイマ値と第２の周波数範囲で動作する近隣セルの第２の測定報告タイマ値との両方を決定することによって、前記測定報告タイマ値を決定するように動作可能である、請求項９から１１のいずれか一項に記載の無線デバイス。
【請求項１３】
前記第１の周波数範囲が、４５０メガヘルツから６ギガヘルツまでの範囲を含み、前記第１の測定報告タイマの値が、２秒であり、前記第２の周波数範囲が、２４．２５ギガヘルツから５２．６ギガヘルツまでの範囲を含み、かつ、前記第２の測定報告タイマの値が、１６秒である、請求項１２に記載の無線デバイス。
【請求項１４】
前記無線デバイスが、２つ以上のトランシーバを備え、前記処理回路がさらに、前記測定報告を実行するための前記２つ以上のトランシーバのうちの１つを選択するように動作可能であり、、前記処理回路が、前記選択されたトランシーバにさらに基づいて前記測定報告タイマ値を決定する、請求項９から１３のいずれか一項に記載の無線デバイス。
【請求項１５】
前記処理回路が、前記選択されたトランシーバの周波数範囲に基づいて前記測定報告タイマ値を決定することによって前記選択されたトランシーバに基づいて前記測定報告タイマ値を決定するように動作可能である、請求項１４に記載の無線デバイス。
【請求項１６】
前記処理回路が、前記選択されたトランシーバのＲＡＴに基づいて前記測定報告タイマ値を決定することによって前記選択されたトランシーバに基づいて前記測定報告タイマ値を決定するように動作可能である、請求項１４又は１５に記載の無線デバイス。
【請求項１７】
測定報告のためのネットワークノードにおいて使用するための方法であって、
近隣セルの無線アクセス技術（ＲＡＴ）及び前記近隣セルの周波数範囲に少なくとも基づいて、測定報告を実行するための無線デバイスのための測定報告タイマ値を決定すること（９１４）と、
前記決定された測定報告タイマ値を前記無線デバイスに送信すること（９１６）と
を含む、方法。
【請求項１８】
前記測定報告が、セルグローバル識別子（ＣＧＩ）報告を含む、請求項１７に記載の方法。
【請求項１９】
前記近隣セルＲＡＴが、第５世代（５Ｇ）新無線（ＮＲ）である、請求項１７又は１８に記載の方法。
【請求項２０】
前記測定報告タイマ値を決定することが、第１の周波数範囲で動作する近隣セルの第１の測定報告タイマ値と第２の周波数範囲で動作する近隣セルの第２の測定報告タイマ値との両方を決定することを含む、請求項１７から１９のいずれか一項に記載の方法。
【請求項２１】
前記第１の周波数範囲が、４５０メガヘルツから６ギガヘルツまでの範囲を含み、前記第１の測定報告タイマの値が、２秒であり、前記第２の周波数範囲が、２４．２５ギガヘルツから５２．６ギガヘルツまでの範囲を含み、かつ、前記第２の測定報告タイマの値が、１６秒である、請求項２０に記載の方法。
【請求項２２】
前記無線デバイスが、２つ以上のトランシーバを備え、前記測定報告タイマ値を決定することがさらに、前記２つ以上のトランシーバのうちの選択されたトランシーバに基づき、かつ、前記方法がさらに、前記選択された受信器の指示を前記無線デバイスに送信すること（９１６）を含む、請求項１７から２１のいずれか一項に記載の方法。
【請求項２３】
前記選択されたトランシーバに基づいて前記測定報告タイマ値を決定することが、前記選択されたトランシーバの周波数範囲に基づいて前記測定報告タイマ値を決定することを含む、請求項２２に記載の方法。
【請求項２４】
前記選択されたトランシーバに基づいて前記測定報告タイマ値を決定することが、前記選択されたトランシーバのＲＡＴに基づいて前記測定報告タイマ値を決定することを含む、請求項２２又は２３に記載の方法。
【請求項２５】
測定報告の能力を有するネットワークノード（１６０）であって、
近隣セルの無線アクセス技術（ＲＡＴ）及び前記近隣セルの周波数範囲に少なくとも基づいて、測定報告を実行するための無線デバイスのための測定報告タイマ値を決定することと、
前記決定された測定報告タイマ値を前記無線デバイスに送信することと
を行うように動作可能な処理回路（１７０）を備える、ネットワークノード。
【請求項２６】
前記測定報告が、セルグローバル識別子（ＣＧＩ）報告を含む、請求項２５に記載のネットワークノード。
【請求項２７】
前記近隣セルＲＡＴが、第５世代（５Ｇ）新無線（ＮＲ）である、請求項２５又は２６に記載のネットワークノード。
【請求項２８】
前記処理回路が、第１の周波数範囲で動作する近隣セルの第１の測定報告タイマ値と第２の周波数範囲で動作する近隣セルの第２の測定報告タイマ値との両方を決定することによって前記測定報告タイマ値を決定するように動作可能である、請求項２５から２７のいずれか一項に記載のネットワークノード。
【請求項２９】
前記第１の周波数範囲が、４５０メガヘルツから６ギガヘルツまでの範囲を含み、前記第１の測定報告タイマの値が、２秒であり、前記第２の周波数範囲が、２４．２５ギガヘルツから５２．６ギガヘルツまでの範囲を含み、かつ、前記第２の測定報告タイマの値が、１６秒である、請求項２８に記載のネットワークノード。
【請求項３０】
前記無線デバイスが、２つ以上のトランシーバを備え、前記処理回路が、前記２つ以上のトランシーバのうちの選択されたトランシーバにさらに基づいて前記測定報告タイマ値を決定するように動作可能であり、、前記処理回路がさらに、前記選択された受信器の指示を前記無線デバイスに送信するように動作可能である、請求項２５から２９のいずれか一項に記載のネットワークノード。
【請求項３１】
前記処理回路が、前記選択されたトランシーバの周波数範囲に基づいて前記測定報告タイマ値を決定することによって前記選択されたトランシーバに基づいて前記測定報告タイマ値を決定するように動作可能である、請求項３０に記載のネットワークノード。
【請求項３２】
前記処理回路が、前記選択されたトランシーバのＲＡＴに基づいて前記測定報告タイマ値を決定することによって前記選択されたトランシーバに基づいて前記測定報告タイマ値を決定するように動作可能である、請求項３０又は３１に記載のネットワークノード。
【請求項３３】
測定報告の能力を有する無線デバイス（１１０）であって、前記無線デバイスが、受信モジュール（１６０２）、決定モジュール（１６０４）、及び測定モジュール（１６０６）を備え、
前記受信モジュールが、近隣セルのための測定報告を実行するための指示を受信するように動作可能であり、
前記決定モジュールが、前記近隣セルの無線アクセス技術（ＲＡＴ）及び前記近隣セルの周波数範囲に少なくとも基づいて、前記測定報告を実行するための測定報告タイマ値を決定するように動作可能であり、、
前記測定モジュールが、前記決定された測定報告タイマ値によって指定された時間に前記近隣セルの無線信号を測定するように動作可能である、
無線デバイス。
【請求項３４】
測定報告の能力を有するネットワークノード（１６０）であって、前記ネットワークノードが、決定モジュール（１７０２）及び送信モジュール（１７０４）を備え、
前記決定モジュールが、近隣セルの無線アクセス技術（ＲＡＴ）及び前記近隣セルの周波数範囲に少なくとも基づいて、測定報告を実行するための無線デバイスのための測定報告タイマ値を決定するように動作可能であり、、
前記送信モジュールが、前記決定された測定報告タイマ値を前記無線デバイスに送信するように動作可能である、
ネットワークノード。
【発明の詳細な説明】
【技術分野】
【０００１】
本開示の実施形態は、無線通信を対象とし、より詳細には、無線測定結果を報告するための可変長タイマを対象とする。
【背景技術】
【０００２】
一般に、本明細書で使用されるすべての用語は、異なる意味が明確に与えられている及び／又はそれが使用されている文脈において暗示されている場合を除いて、関連技術分野におけるそれらの通常の意味に従って解釈されることになる。要素、装置、構成要素、手段、ステップなどへのすべての参照は、特に明示的な記載のない限り、要素、装置、構成要素、手段、ステップなどの少なくとも１つのインスタンスを参照するものとしてオープンに解釈されることになる。本明細書で開示されるいずれの方法のステップも、ステップが別のステップに続く若しくは先行するものとして明示的に記述されている及び／又はステップが別のステップに続く若しくは先行する必要があることが黙示されている場合を除いて、開示された正確な順番で実行される必要はない。本明細書で開示される実施形態のうちのいずれかの実施形態の任意の特徴は、適切であれば、任意の他の実施形態に適用され得る。同様に、実施形態のうちのいずれかの実施形態の任意の優位性は、任意の他の実施形態に適用され得、逆もまた同様である。含まれる実施形態の他の目的、特徴及び優位性が、以下の説明から明らかとなろう。
【０００３】
第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、ｅＮＢなどのネットワークノード間の関係を自動的に決定する、ＡＮＲ（ａｕｔｏｍａｔｉｃ  ｎｅｉｇｈｂｏｒ  ｒｅｌａｔｉｏｎ：自動近隣関係）を含む。この関係は、ｅＮＢ間の接続の確立、モビリティのサポート、負荷分散、デュアルコネクティビティなどの様々な目的で使用され得る。したがって、ＡＮＲは、オペレータの企画及び運用コストを大きく低減することができる。
【０００４】
ＬＴＥにおいて、ユーザ機器（ＵＥ：ｕｓｅｒ  ｅｑｕｉｐｍｅｎｔ）は、物理セル識別子（ＰＣＩ：ｐｈｙｓｉｃａｌ  ｃｅｌｌ  ｉｄｅｎｔｉｆｉｅｒ）をエンコードする、それらの１次／２次同期信号（ＰＳＳ／ＳＳＳ：ｐｒｉｍａｒｙ／ｓｅｃｏｎｄａｒｙ  ｓｙｎｃｈｒｏｎｉｚａｔｉｏｎ  ｓｉｇｎａｌｓ）に基づいてセルを検出する。同期信号の重要な特性は、ＵＥが、取得されたＰＳＳ／ＳＳＳから近隣セルＩＤを自律的に検出する（すなわち、ネットワークは、近隣セルリストを提供する必要はない）ということである。ＵＥは、通常は、近隣の周波数（サービングセルと同じ又は異なる周波数でもよい）で短い時間ウインドウ（たとえば、５ｍｓ）をサンプリングすることによって近隣セルを検出及び測定し、そのサンプル内のＰＳＳ／ＳＳＳ発生を検索する（場合によりオフラインで）。それぞれの検出されたＰＳＳ／ＳＳＳについて、ＵＥは、ＰＣＩに対応するセル参照信号（ＣＲＳ：ｃｅｌｌ  ｒｅｆｅｒｅｎｃｅ  ｓｉｇｎａｌ）を使用して、測定を実行することができる。その成果は、近隣セル識別情報及び対応する測定サンプルのリストである。
【０００５】
ＵＥが測定を実行した後、モビリティイベントは、測定報告の送信をトリガすることができる。これらの報告に基づいて、サービングｅＮＢは、所与のＰＣＩが近隣ｅＮＢに属することを識別し、ハンドオーバ準備手続きをトリガし得る。サービングｅＮＢは、グローバルに一意の識別子（たとえば、Ｅ−ＵＴＲＡＮセルグローバル識別子（Ｅ−ＣＧＩ：Ｅ−ＵＴＲＡＮ  ｃｅｌｌ  ｇｌｏｂａｌ  ｉｄｅｎｔｉｆｉｅｒ））とローカルに一意の識別子（たとえば、ＬＴＥにおけるＰＣＩ）をマップする近隣関係テーブル（ＮＲＴ：ｎｅｉｇｈｂｏｒ  ｒｅｌａｔｉｏｎ  ｔａｂｌｅ）を保持する。ＬＴＥは、公衆陸上移動体通信網（ＰＬＭＮ：ｐｕｂｌｉｃ  ｌａｎｄ  ｍｏｂｉｌｅ  ｎｅｔｗｏｒｋ）ＩＤ（国コード及びネットワークコードの組合せ）と拡張セル識別情報（ＥＣＩ：ｅｎｈａｎｃｅｄ  ｃｅｌｌ  ｉｄｅｎｔｉｔｙ）（ｅＮＢ  ＩＤ及びセルＩＤの組合せ）との組合せとしてＥ−ＣＧＩを規定する。
【０００６】
ＬＴＥにおけるＡＮＲの利益を考えれば、ＡＮＲは、次世代無線システム（ＮＲ）において重要な特徴であり続けることになる。挑戦的なＮＲの要件は、レガシ無線アクセス技術（ＲＡＴ：ｒａｄｉｏ  ａｃｃｅｓｓ  ｔｅｃｈｎｏｌｏｇｙ）においてよりもシームレスモビリティの必要性にさらなる強調をもたらし得、ＮＲにおける自動的関係確立の重要性をさらに高める。ＮＲは、ベースラインとしてＬＴＥ手続きを使用するＡＮＲをサポートし、ＬＴＥ  ＲＡＴ間ＡＮＲフレームワークは、ＮＲのために拡張される。
【０００７】
ＡＮＲ報告は、セルグローバル識別子（ＣＧＩ）報告を含む。ＵＥは、近隣関係情報の構築においてｅＮＢ／ｇＮＢを支援するために、近隣セルシステム情報（グローバルセル識別情報を含む）を読み取ることを要求される。ＣＧＩ測定は、通常は、ＵＥが、知られていないＰＣＩ（すなわち、知られていない近隣セル）を、接続を管理するソースノードに報告したときに、要求される。ＰＣＩ情報は、異なる目的のために開始された可能性のあるすべてのＵＥ測定報告に含まれる。ｅＮＢ／ｇＮＢが、近隣セルに関する必要な情報を有するとき、その情報は、記憶され、ノード間のＸ２／Ｘｎ接続をセットアップするために使用され得る。前述のように、Ｘ２／Ｘｎ接続は、いくつかの異なる手続き、たとえば、ハンドオーバ、デュアルコネクティビティセットアップなど、のために使用され得る。
【０００８】
図１は、デュアルコネクティビティ及び近隣ノードＣＧＩ取得の一例を示すブロック図である。ＵＥ１０は、マスタノード（ＭＮ：ｍａｓｔｅｒ  ｎｏｄｅ）２０に接続され得、デュアル／マルチプルコネクティビティのために１つ又は複数の２次ノード（ＳＮ：ｓｅｃｏｎｄａｒｙ  ｎｏｄｅ）３０にオプションで接続され得る。ＵＥ１０は、近隣ノード（ＮＮ：ｎｅｉｇｈｂｏｒ  ｎｏｄｅ）４０のＣＧＩを取得することができる。
【０００９】
ＬＴＥでは、その目的をｒｅｐｏｒｔＣＧＩにセットされたｒｅｐｏｒｔＣｏｎｆｉｇ情報要素を含む測定設定を受信したとき、ＵＥは、Ｔ３２１と呼ばれるタイマを開始させ、要求されたセルのＣＧＩ情報を取得しようと試みる。ＵＥが、タイマの実行中に、成功した場合、ＵＥは、ｒｅｐｏｒｔＣＧＩメッセージ（測定報告の一例である）にＣＧＩ情報を含め、ネットワークにそのメッセージを送る。ＵＥが、Ｔ３２１の継続期間（すなわち、Ｔ３２１の満了時）内にＣＧＩ情報を検出することに失敗した場合、ＵＥは、空のＣＧＩ情報フィールドを有するｒｅｐｏｒｔＣＧＩメッセージを送る。ＬＴＥにおいて、Ｔ３２１は、仕様３ＧＰＰ  ＴＳ３６．３３１において事前に設定される。
【００１０】
ＬＴＥで、Ｔ３２１の値は、ＲＡＴ内ＡＮＲ及びＲＡＴ間ＡＮＲについて異なってセットされる。ＡＮＲ測定が、ＲＡＴ内ＡＮＲに関連する場合、ＵＥは、ＲＡＴに前に接続されたので、Ｔ３２１は、より短い時間値でセットされる。
【００１１】
さらに、既存のＬＴＥでは、ＵＥが、近隣セルからのシステム情報の取得において自律ギャップを使用することができる（すなわち、ｓｉ−ＲｅｑｕｅｓｔＦｏｒＨＯがｒｅｐｏｒｔＣｏｎｆｉｇに含まれる）場合、ＵＥは、より短い時間値をＴ３２１のために使用し得る。
【００１２】
以下は、ＴＳ３６．３３１バージョン１５．１．０からの引用である。
２＞  ｔｒｉｇｇｅｒＴｙｐｅが、周期的にセットされ、目的が、このｍｅａｓＩｄに関連するｒｅｐｏｒｔＣｏｎｆｉｇにおいてｒｅｐｏｒｔＣＧＩにセットされた場合：
３＞  このｍｅａｓＩｄに関連するｍｅａｓＯｂｊｅｃｔが、Ｅ−ＵＴＲＡに関する場合：
４＞  ｓｉ−ＲｅｑｕｅｓｔＦｏｒＨＯが、このｍｅａｓＩｄに関連するｒｅｐｏｒｔＣｏｎｆｉｇに含まれる場合：
５＞  ＵＥが、３ＧＰＰ  ＴＳ３６．３０６によるカテゴリ０  ＵＥである場合：
６＞  このｍｅａｓＩｄについて１９０ｍｓにセットされたタイマ値を有してタイマＴ３２１を起動する
５＞  さもなければ：
６＞  このｍｅａｓＩｄについて１５０ｍｓにセットされたタイマ値を有してタイマＴ３２１を起動する
４＞  さもなければ：
５＞  このｍｅａｓＩｄについて１秒にセットされたタイマ値を有してタイマＴ３２１を起動する
３＞  さもなければ、このｍｅａｓＩｄに関連するｍｅａｓＯｂｊｅｃｔが、ＵＴＲＡに関する場合：
４＞  ｓｉ−ＲｅｑｕｅｓｔＦｏｒＨＯが、このｍｅａｓＩｄに関連するｒｅｐｏｒｔＣｏｎｆｉｇに含まれる場合：
５＞  ＵＴＲＡ  ＦＤＤについて、このｍｅａｓＩｄについて２秒にセットされたタイマ値を有してタイマＴ３２１を起動する
５＞  ＵＴＲＡ  ＴＤＤについて、このｍｅａｓＩｄについて１秒にセットされたタイマ値を有してタイマＴ３２１を起動する
４＞  さもなければ：
５＞  このｍｅａｓＩｄについて８秒にセットされたタイマ値を有してタイマＴ３２１を起動する
３＞  さもなければ：
４＞  このｍｅａｓＩｄついて８秒にセットされたタイマ値を有してタイマＴ３２１を起動する
【００１３】
ＮＲは、様々な配備シナリオを含む。たとえば、既存のＬＴＥ及びエボルブドパケットコード（ＥＰＣ：ｅｖｏｌｖｅｄ  ｐａｃｋｅｔ  ｃｏｄｅ）と相互作用して又はせずに５Ｇネットワークを配備するための複数の変形形態が存在する。いくつかのオプションが、図２に示されている。
【００１４】
図２は、様々なＬＴＥ及びＮＲ相互作用オプションを示すブロック図である。図２に示すオプション３は、ＥＮ−ＤＣ（ＥＵＴＲＡＮ−ＮＲデュアルコネクティビティ）と呼ばれ得る。図示されたネットワーク配備において、デュアルコネクティビティが、ＮＲとＬＴＥとの間で使用され、そこで、マスタノードはＬＴＥであり、２次ノードはＮＲである。ＮＲをサポートするＲＡＮノード（ｇＮＢ）は、コアネットワークへの制御プレーン接続（ＥＰＣ）を有さなくてもよい。代わりに、ｇＮＢは、マスタノード（ＭｅＮＢ）としてのＬＴＥに頼り得る。これは、非独立型（ＮＳＡ：ｎｏｎ−ｓｔａｎｄａｌｏｎｅ）ＮＲと呼ばれることがあり、５ＧＣＮは、この配備に含まれない。図示された例では、ＮＲセルの機能性は、ブースタ及び／又はダイバーシティレッグとしての接続モードＵＥによる使用に限定されるが、ＵＥは、ＮＲセルにとどまることはできない。
【００１５】
５Ｇコアネットワーク（５ＧＣＮ）を使用して、他のオプションが利用可能である。たとえば、図示されたオプション２は、ｇＮＢが５ＧＣＮに接続された、独立型（ＳＡ：ｓｔａｎｄ−ａｌｏｎｅ）ＮＲ配備をサポートする。同様に、ＬＴＥはまた、図示されたオプション５を使用して５ＧＣＮに接続され得る。これらの例では、ＮＲとＬＴＥとの両方が、ＮＧ−ＲＡＮの一部であり、５ＧＣＮに接続される。
【００１６】
ＬＴＥネットワークは、マスタ情報ブロック（ＭＩＢ：ｍａｓｔｅｒ  ｉｎｆｏｒｍａｔｉｏｎ  ｂｌｏｃｋ）及びいくつかのシステム情報ブロック（ＳＩＢ：ｓｙｓｔｅｍ  ｉｎｆｏｒｍａｔｉｏｎ  ｂｌｏｃｋ）に分割されたシステム情報を含む。ＭＩＢは、他の情報をセルから取得するために必要とされる最も必須の及び最も頻繁に送信される限られた数のパラメータを含み、ブロードキャストチャネル（ＢＣＨ：ｂｒｏａｄｃａｓｔ  ｃｈａｎｎｅｌ）で送信される。
【００１７】
具体的には、ＡＮＲのために必要とされる情報、たとえば、ＣＧＩ、追跡エリアコード（ＴＡＣ：ｔｒａｃｋｉｎｇ  ａｒｅａ  ｃｏｄｅ）及びＰＬＭＮリスト、が、システム情報ブロックタイプ１（ＳＩＢ１）でブロードキャストされる。ＮＲは、ＬＴＥとともに（さらに正確には、前述のＥＮ−ＤＣとして）配備され得るので、ＮＲセルは、ＳＩＢ１送信を省略することができる。ＳＩＢ１送信がないことをＵＥが認識するのを助けるために、欠落情報が、ＭＩＢでブロードキャストされる。さらに正確には、ｐｄｃｃｈ−ＣｏｎｆｉｇＳＩＢ１情報要素（ＩＥ）は、ＭＩＢ１において必須であり、ＳＩＢ１が存在しない場合には、１つのコードポイント（たとえば、すべてゼロ）が、割り当てられる。ＵＥは、ＭＩＢコンテンツを復号することによって、ＳＩＢ１送信を期待するか否かを決定する。
【００１８】
ＮＲは、低周波数範囲並びに高周波数範囲において配備され得る。３ＧＰＰ  Ｒｅｌ  １５ＮＲ（３８．１０４、セクション５．２）は、２つの周波数範囲、ＦＲ１（４５０ＭＨｚ〜６ＧＨｚ）及びＦＲ２（２４．２５ＧＨｚ〜５２．６ＧＨｚ）、におけるサポートについて説明している。
【発明の概要】
【００１９】
前述に基づいて、測定報告タイマ選択のためのある特定の課題が現在存在する。たとえば、Ｔ３２１タイマは、第３世代パートナーシッププロジェクト（３ＧＰＰ）ｌｏｎｇ  ｔｅｒｍ  ｅｖｏｌｕｔｉｏｎ（ＬＴＥ）において事前に設定される。Ｔ３２１は、それについてＣＧＩを報告しようとするセルによって異なり、場合により、ＵＥカテゴリに応じて異なる。Ｔ３２１はまた、ＵＥが自律ギャップを使用することができるかどうかに依存する。報告が、異なる周波数及び／又はＲＡＴにおけるセルを含む場合、Ｔ３２１タイマは、サービングキャリア及び無線アクセス技術（ＲＡＴ）への周波数チューニング及び再チューニングのための時間をＵＥに提供する。
【００２０】
しかしながら、第５世代（５Ｇ）新無線（ＮＲ：Ｎｅｗ  Ｒａｄｉｏ）は、多様な範囲の配備及び新しい使用事例を含む。これらは、たとえば、ＬＴＥとＮＲとの間のＲＡＴ間デュアルコネクティビティを含む（ＬＴＥがエボルブドパケットコア（ＥＰＣ）に接続されるときにＥＮ−ＤＣと呼ばれるが、アンカとしてのＮＲ及びブースタとしてのＬＴＥ又は、５ＧＣに接続されるブースタとしてのＬＴＥなど、他のオプションもまた含む）。これらは、現在の解決策を不適切にさせる。
【００２１】
たとえば、ＵＥが、２つのアクティブなトランシーバとのデュアルコネクティビティ向けに設定されるとき、その場合、セルグローバル識別子（ＣＧＩ）報告のための必要な時間は、ＵＥがどのトランシーバをＣＧＩ取得のために使用することになるかによって決まり得る。これは、現在の仕様では規定されていない。ＵＥがＣＧＩを取得するのに問題を有しているとき、過度に保守的なタイマの設定は、そのタイマの満了までの不必要に長い待ち時間の原因となり得る。ＳＩＢ１をブロードキャストしない（すなわち、ＣＧＩをブロードキャストしない）非独立型（ＮＳＡ）セルをＮＲは含み得るので、これは、ＮＲにおいて起こり得るイベントとなり得る。
【００２２】
別の例は、ＣＧＩを送信する関連システム情報が異なる周波数にある、ＮＲ同期信号ブロック（ＳＳＢ：ｓｙｎｃｈｒｏｎｉｚａｔｉｏｎ  ｓｉｇｎａｌ  ｂｌｏｃｋ）を含む。このシナリオは、数多くの種類を有し得るので、保守的になり過ぎずにすべての事例に適した時間を固定することは、困難である。
【００２３】
ＮＲは、前述のＣＧＩ報告問題の解決策及びタイマＴ３２１に関する特定の事柄を現在は何ら指定していない。ＬＴＥは、異なる条件に応じて以下の値を指定する。
【００２４】
ＥＵＴＲＡ周波数について、ｓｉ−ＲｅｑｕｅｓｔＦｏｒＨＯ情報要素が、含まれる場合（フィールドが含まれるとき、ＵＥは、近隣セルからのシステム情報の取得において自律ギャップを使用することを可能にされ、Ｔ３２１に異なる値を適用し、測定報告に異なるフィールドを含む）、カテゴリ０  ＵＥは、１９０ｍｓのＴ３２１タイマ値を使用し、すべての他のＵＥは、１５０ｍｓの値を使用する。ｓｉ−ＲｅｑｕｅｓｔＦｏｒＨＯが、含まれない場合、周波数分割複信（ＦＤＤ：ｆｒｅｑｕｅｎｃｙ  ｄｉｖｉｓｉｏｎ  ｄｕｐｌｅｘ）ＵＥは、１秒のＴ３２１タイマ値を使用し、時分割複信（ＴＤＤ：ｔｉｍｅ  ｄｉｖｉｓｉｏｎ  ｄｕｐｌｅｘ）ＵＥは、２秒の値を使用する。
【００２５】
ＵＴＲＡ周波数について、ｓｉ−ＲｅｑｕｅｓｔＦｏｒＨＯ情報要素が含まれる場合、カテゴリ０  ＵＥは、１９０ｍｓのＴ３２１タイマ値を使用し、、すべての他のＵＥは、１５０ｍｓの値を使用する。ｓｉ−ＲｅｑｕｅｓｔＦｏｒＨＯが含まれない場合、すべてのＵＥは、８秒の値を使用する。前述で指定されていない任意の他の事例について、Ｔ３２１タイマ値は、８秒である。
【００２６】
本開示のある種の態様及びそれらの実施形態は、これらの又は他の課題に解決策を提供することができる。特定の実施形態は、ネットワークによって知られている異なる基準に応じて近隣ノードＣＧＩ取得のための測定報告タイマ選択（たとえば、Ｔ３２１）に対処する（たとえば、近隣セルの周波数範囲に基づくＣＧＩ取得のための継続期間、近隣セルのＲＡＴ、選択されたトランシーバなど）。いくつかの実施形態において、ＵＥが、マスタノード及び１つ又は複数の２次ノードとのデュアル又はマルチプルコネクティビティをサポートするとき、１つの基準は、現在のＵＥトランシーバ設定である。
【００２７】
いくつかの実施形態によれば、測定報告のための無線デバイスによって実行される方法は、以下を含む：近隣セルのための測定報告を実行するための命令を受信することと、測定報告を実行するための測定報告タイマ値を、近隣セルのＲＡＴ及び近隣セルの周波数範囲に少なくとも基づいて、決定することと、決定された測定報告タイマ値によって指定された時間に近隣セルの無線信号を測定すること。
【００２８】
特定の実施形態において、測定報告は、ＣＧＩ報告を含む。近隣セルＲＡＴは、５Ｇ  ＮＲでもよい。
【００２９】
特定の実施形態において、測定報告タイマ値を決定することは、第１の周波数範囲で動作する近隣セルの第１の測定報告タイマ値と第２の周波数範囲で動作する近隣セルの第２の測定報告タイマ値との両方を決定することを含む。第１の周波数範囲は、４５０メガヘルツから６ギガヘルツまでの範囲までを含むことができ、第１の測定報告タイマの値は、２秒でもよく、第２の周波数範囲は、２４．２５ギガヘルツから５２．６ギガヘルツまでの範囲を含むことができ、かつ、第２の測定報告タイマの値は、１６秒でもよい。
【００３０】
特定の実施形態において、無線デバイスは、２つ以上のトランシーバを備える。本方法はさらに、測定報告を実行するための２つ以上のトランシーバのうちの１つを選択することを含む。測定報告タイマ値を決定することはさらに、選択されたトランシーバに基づく。選択されたトランシーバに基づいて測定報告タイマ値を決定することは、選択されたトランシーバの周波数範囲に又は選択されたトランシーバのＲＡＴに基づいて測定報告タイマ値を決定することを含み得る。
【００３１】
いくつかの実施形態によれば、無線デバイスは、測定報告の能力を有する。無線デバイスは、以下のことを行うように動作可能な処理回路を備える：近隣セルのための測定報告を実行するための指示を受信することと、測定報告を実行するための測定報告タイマ値を、近隣セルのＲＡＴ及び近隣セルの周波数範囲に少なくとも基づいて、決定することと、決定された測定報告タイマ値によって指定された時間に近隣セルの無線信号を測定すること。
【００３２】
特定の実施形態において、測定報告は、ＣＧＩ報告を含む。近隣セルＲＡＴは、５Ｇ  ＮＲでもよい。
【００３３】
特定の実施形態において、処理回路は、第１の周波数範囲で動作する近隣セルの第１の測定報告タイマ値と第２の周波数範囲で動作する近隣セルの第２の測定報告タイマ値との両方を決定することによって、測定報告タイマ値を決定するように動作可能である。第１の周波数範囲は、４５０メガヘルツから６ギガヘルツまでの範囲までを含むことができ、第１の測定報告タイマの値は、２秒でもよく、第２の周波数範囲は、２４．２５ギガヘルツから５２．６ギガヘルツまでの範囲を含むことができ、かつ、第２の測定報告タイマの値は、１６秒でもよい。
【００３４】
特定の実施形態において、無線デバイスは、２つ以上のトランシーバを備える。処理回路はさらに、測定報告を実行するための２つ以上のトランシーバのうちの１つを選択するように動作可能である。処理回路が、選択されたトランシーバにさらに基づいて測定報告タイマ値を決定する。処理回路は、選択されたトランシーバの周波数範囲又は選択されたトランシーバのＲＡＴに基づいて測定報告タイマ値を決定することによって、選択されたトランシーバに基づいて測定報告タイマ値を決定するように動作可能になり得る。
【００３５】
いくつかの実施形態によれば、測定報告のためにネットワークノードにおいて使用するための方法は、以下を含む：測定報告を実行するための無線デバイスのための測定報告タイマ値を、近隣セルのＲＡＴ及び近隣セルの周波数範囲に少なくとも基づいて、決定することと、決定された測定報告タイマ値を無線デバイスに送信すること。
【００３６】
特定の実施形態において、測定報告は、ＣＧＩ報告を含む。近隣セルＲＡＴは、５Ｇ  ＮＲでもよい。
【００３７】
特定の実施形態において、測定報告タイマ値を決定することは、第１の周波数範囲で動作する近隣セルの第１の測定報告タイマ値と第２の周波数範囲で動作する近隣セルの第２の測定報告タイマ値との両方を決定することを含む。第１の周波数範囲は、４５０メガヘルツから６ギガヘルツまでの範囲までを含むことができ、第１の測定報告タイマの値は、２秒でもよく、第２の周波数範囲は、２４．２５ギガヘルツから５２．６ギガヘルツまでの範囲を含むことができ、かつ、第２の測定報告タイマの値は、１６秒でもよい。
【００３８】
特定の実施形態において、無線デバイスは、２つ以上のトランシーバを備える。本方法はさらに、測定報告を実行するための２つ以上のトランシーバのうちの１つを選択することを含む。測定報告タイマ値を決定することはさらに、選択されたトランシーバに基づく。選択されたトランシーバに基づいて測定報告タイマ値を決定することは、選択されたトランシーバの周波数範囲に又は選択されたトランシーバのＲＡＴに基づいて測定報告タイマ値を決定することを含み得る。
【００３９】
いくつかの実施形態によれば、ネットワークノードは、測定報告の能力を有する。ネットワークノードは、以下のことを行うように動作可能な処理回路を備える：測定報告を実行するための無線デバイスのための測定報告タイマ値を、近隣セルのＲＡＴ及び近隣セルの周波数範囲に少なくとも基づいて、決定することと、決定された測定報告タイマ値を無線デバイスに送信すること。
【００４０】
特定の実施形態において、測定報告は、ＣＧＩ報告を含む。近隣セルＲＡＴは、５Ｇ  ＮＲでもよい。
【００４１】
特定の実施形態において、処理回路は、第１の周波数範囲で動作する近隣セルの第１の測定報告タイマ値と第２の周波数範囲で動作する近隣セルの第２の測定報告タイマ値との両方を決定することによって測定報告タイマ値を決定するように動作可能である。第１の周波数範囲は、４５０メガヘルツから６ギガヘルツまでの範囲を含むことができ、第１の測定報告タイマの値は、２秒でもよく、第２の周波数範囲は、２４．２５ギガヘルツから５２．６ギガヘルツまでの範囲を含むことができ、かつ、第２の測定報告タイマの値は、１６秒でもよい。
【００４２】
特定の実施形態において、無線デバイスは、２つ以上のトランシーバを備え、処理回路は、２つ以上のトランシーバのうちの選択されたトランシーバにさらに基づいて測定報告タイマ値を決定するように動作可能であり、処理回路はさらに、選択された受信器の指示を無線デバイスに送信するように動作可能である。処理回路は、選択されたトランシーバの周波数範囲又は選択されたトランシーバのＲＡＴに基づいて測定報告タイマ値を決定することによって、選択されたトランシーバに基づいて測定報告タイマ値を決定するように動作可能になり得る。
【００４３】
いくつかの実施形態によれば、無線デバイスは、測定報告の能力を有する。無線デバイスは、受信モジュール、決定モジュール、及び測定モジュールを備える。受信モジュールは、近隣セルのための測定報告を実行するための命令を受信するように動作可能である。決定モジュールは、測定報告を実行するための測定報告タイマ値を、近隣セルのＲＡＴ及び近隣セルの周波数範囲に少なくとも基づいて、決定するように動作可能である。測定モジュールは、決定された測定報告タイマ値によって指定された時間に近隣セルの無線信号を測定するように動作可能である。
【００４４】
いくつかの実施形態によれば、ネットワークノードは、測定報告の能力を有する。ネットワークノードは、決定モジュール及び送信モジュールを備える。決定モジュールは、測定報告を実行するための無線デバイスのための測定報告タイマ値を、近隣セルのＲＡＴ及び近隣セルの周波数範囲に少なくとも基づいて、決定するように動作可能である。送信モジュールは、決定された測定報告タイマ値を無線デバイスに送信するように動作可能である。
【００４５】
さらに開示されるのは、コンピュータ可読プログラムコードを記憶する非一時的コンピュータ可読媒体を備えるコンピュータプログラム製品であり、そのコンピュータ可読プログラムコードは、処理回路によって実行されるときに前述のネットワークノードによって実行される方法のうちのいずれかを実行するように動作可能である。
【００４６】
別のコンピュータプログラム製品は、コンピュータ可読プログラムコードを記憶する非一時的コンピュータ可読媒体を備え、コンピュータ可読プログラムコードは、処理回路によって実行されるときに前述の無線デバイスによって実行される方法のいずれかを実行するように動作可能である。
【００４７】
ある種の実施形態は、以下の技術的優位性のうちの１つ又は複数をもたらすことができる。特定の実施形態は、ＵＥが複数のノードに接続される事例についてタイマ値選択（たとえば、Ｔ３２１）を最適化する。ＵＥは、ＣＧＩ取得のための最も適切なトランシーバを選択する自由を有する。いくつかの実施形態において、ＵＥは、トランシーバ選択指示制御をネットワークから受信することができる。ＵＥは、選択された事例のＴ３２１タイマ値をネットワークに報告することができる。
【００４８】
開示される実施形態及びそれらの特徴及び優位性のより十分な理解のために、次のような添付の図面と併せて解釈される、以下の説明をここで参照する。
【図面の簡単な説明】
【００４９】
【図１】デュアルコネクティビティ及び近隣ノードＣＧＩ取得の一例を示すブロック図である。
【図２】様々なＬＴＥ及びＮＲ相互作用オプションを示すブロック図である。
【図３】無線デバイスにおける例示的方法を示す流れ図である。
【図４】特定の実施形態による、シグナリングを示す流れ図である。
【図５】特定の実施形態による、例示的無線デバイスを示すブロック図である。
【図６】例示的無線ネットワークを示すブロック図である。
【図７】ある種の実施形態による、例示的ユーザ機器を示す図である。
【図８】ある種の実施形態による、測定報告のための無線デバイスにおける例示的方法を示す流れ図である。
【図９】ある種の実施形態による、測定報告のためのネットワークノードにおける例示的方法を示す流れ図である。
【図１０】ある種の実施形態による、例示的無線デバイス及びネットワークノードを示す図である。
【図１１】ある種の実施形態による、例示的仮想化環境を示す図である。
【図１２】ある種の実施形態による、中間ネットワークを介してホストコンピュータに接続された例示的通信ネットワークを示す図である。
【図１３】ある種の実施形態による、部分的無線接続を介してユーザ機器と基地局を介して通信する例示的ホストコンピュータを示す図である。
【図１４】ある種の実施形態による、実施される方法を示す流れ図である。
【図１５】ある種の実施形態による、通信システムにおいて実施される方法を示す流れ図である。
【図１６】ある種の実施形態による、通信システムにおいて実施される別の方法を示す流れ図である。
【図１７】ある種の実施形態による、通信システムにおいて実施される別の方法を示す流れ図である。
【発明を実施するための形態】
【００５０】
前述に基づいて、第５世代（５Ｇ）新無線（ＮＲ）における測定報告タイマ選択のためのある種の課題が現在存在する。たとえば、Ｔ３２１タイマは、第３世代パートナーシッププロジェクト（３ＧＰＰ）ｌｏｎｇ  ｔｅｒｍ  ｅｖｏｌｕｔｉｏｎ（ＬＴＥ）において事前に設定されている。事前に設定される値は、異なるセルについて、異なるＵＥカテゴリについて、ＵＥが自律ギャップを使用することができるかどうかなどで、変化し得る。しかしながら、５Ｇ  ＮＲは、現在の解決策を不適切にさせる多様な範囲の配備及び新しい使用事例を含む。ＮＲは、前述のタイマ選択問題の解決策を現在は指定していない。
【００５１】
本開示のある種の態様及びそれらの実施形態は、これらの又は他の課題に対する解決策を提供することができる。特定の実施形態は、ネットワークによって知られている異なる基準（たとえば、近隣セルの周波数範囲に基づくＣＧＩ取得のための継続期間、近隣セルの無線アクセス技術（ＲＡＴ）、選択されたトランシーバなど）に応じて近隣ノードセルグローバル識別子（ＣＧＩ）取得のための測定報告タイマ選択（たとえば、Ｔ３２１）に対処する。
【００５２】
本開示のある種の態様及びそれらの実施形態は、これらの又は他の課題に対する解決策を提供することができる。特定の実施形態は、ＵＥが複数のノードに接続される事例のタイマ値選択（たとえば、Ｔ３２１）を最適化する。ＵＥは、ＣＧＩ取得のための最も適切なトランシーバを選択する自由を有する。いくつかの実施形態において、ＵＥは、トランシーバ選択指示制御をネットワークから受信することができる。ＵＥは、選択されたタイマ値をネットワークに報告することができる。
【００５３】
特定の実施形態が、添付の図面を参照してさらに十分に説明される。しかしながら、他の実施形態が、本明細書で開示される主題の範囲に含まれる。開示される主題は、本明細書に記載の実施形態のみに限定されるものとして解釈されるべきではなく、そうではなくて、これらの実施形態は、当業者に本主題の範囲を伝えるための例として提供される。
【００５４】
ＣＧＩ報告能力は、サービングセルの設定されたＲＡＴ及び／又は周波数キャリア並びに近隣ノードのＲＡＴ及び／又は周波数キャリアに依存し得る。特定の実施形態は、デュアル又はマルチプルコネクティビティＵＥに適用される。
【００５５】
測定報告Ｔ３２１タイマ値が、ＬＴＥにおいて事前に設定される。仕様は、異なる状況について異なるＴ３２１タイマ値を規定する。状況は、近隣ノードＲＡＴと、ＵＥが、ＵＥが送信データ及び／又は設定されたアップリンクリソースを無視してＣＧＩを取得する、自律ギャップを使用することができるかどうかとに関連して異なる。
【００５６】
いくつかの実施形態において、事前に設定されたＴ３２１タイマ値は、ＵＥのトランシーバ設定を含む。Ｔ３２１タイマ値は、ＣＧＩ取得のための選択されたトランシーバのＲＡＴに依存し得る。たとえば、ＣＧＩ取得のための選択されたトランシーバのＲＡＴが、近隣ノードのＲＡＴと同じである場合、より短いＴ３２１タイマ値が、設定され得る。
【００５７】
いくつかの実施形態において、Ｔ３２１タイマ値は、近隣ノードの周波数範囲に依存し得る。たとえば、近隣ノードがＮＲである場合、Ｔ３２１タイマ値は、近隣ノードがＦＲ１で動作しているか又はＦＲ２で動作しているかに依存し得る。特定の一例として、ＵＥは、ＦＲ１についての２秒のタイマ値とＦＲ２についての１６秒のタイマ値とを選択し得る。
【００５８】
いくつかの実施形態において、Ｔ３２１タイマ値は、ＣＧＩ取得のための選択されたトランシーバの周波数範囲と近隣ノードの周波数範囲との組合せに依存する。たとえば、いくつかの設定では、ＣＧＩ取得のための選択されたトランシーバは、ＮＲ  ＦＲ１又はＦＲ２にあることがあり、近隣ノードの周波数範囲は、ＦＲ１又はＦＲ２で動作している。別の例は、ＣＧＩ取得のための選択されたトランシーバがＬＴＥにあり得る、及び近隣ノードの周波数範囲がＦＲ１又はＦＲ２で動作している、設定である。別の設定は、ＣＧＩ取得のための選択されたトランシーバがＮＲ  ＦＲ１又はＦＲ２にあり得る及び近隣ノードがＬＴＥにおいて動作しているものを含む。
【００５９】
いくつかの実施形態において、ＵＥは、Ｔ３２１タイマ値を有する接続されたノード（たとえば、マスタｇＮＢ、２次ｇＮＢなど）によって設定される。設定される値は、事例ベースの値を含み得る。
【００６０】
いくつかの実施形態は、ＵＥのトランシーバアーキテクチャに基づくＵＥカテゴリを規定する（すなわち、より高速でＣＧＩを処理する能力を有するＵＥは、デュアルトランシーバアーキテクチャを有するので、より短いタイマが、そのようなＵＥのために規定される）。
【００６１】
いくつかの実施形態において、ＵＥは、２つ以上のトランシーバで設定される。ＵＥは、どのトランシーバをＣＧＩ取得のために使用するかを選択することができる。
【００６２】
特定の実施形態において、選択は、トランシーバの周波数範囲及び近隣ノードのＲＡＴに依存する。１つの例として、ＵＥは、ＦＲ１内のトランシーバ及びＦＲ２内のトランシーバで設定され得、、近隣ノードは、ＦＲ１において動作している。ＦＲ１設定されたトランシーバのみが、ＦＲ１内で動作する近隣ノードから、ＣＧＩを取得するために使用され得る場合、ＵＥは、ＣＧＩ取得のためにＦＲ１内のトランシーバを選択し得る。
【００６３】
別の例では、ＵＥは、ＦＲ１内のトランシーバ及びＦＲ２内のトランシーバで設定され、、近隣ノードは、ＦＲ２において動作している。ＦＲ２設定されたトランシーバのみが、ＦＲ２で動作する近隣ノードからＣＧＩを取得するために、使用され得る場合、ＵＥは、ＣＧＩ取得のためにＦＲ２内のトランシーバを選択し得る。
【００６４】
別の例では、ＵＥは、ＬＴＥを介して接続されたＦＲ１内のトランシーバ及びＦＲ２内のトランシーバで設定され、、近隣ノードは、ＦＲ１において動作している。ＦＲ１設定されたトランシーバのみが、ＦＲ１内で動作する近隣ノードからＣＧＩを取得するために、使用され得る場合、ＵＥは、ＣＧＩ取得のためにＦＲ１内のトランシーバを選択し得る。
【００６５】
さらに別の例において、ＵＥは、ＬＴＥを介して接続されたＦＲ１内のトランシーバ及びＮＲを介して接続されたＦＲ１内のトランシーバで設定され、、近隣ノードは、ＦＲ１において動作している。ＦＲ１設定されたトランシーバのみが、ＦＲ１内で動作する近隣ノードからＣＧＩを取得するために、使用され得る場合、ＵＥは、トランシーバのいずれかを選択し得る。特定の実施形態の一例が、図３に示されている。
【００６６】
図３は、無線デバイスにおける例示的方法を示す流れ図である。ステップ３１０で、ＵＥは、１つ又は複数のＴ３２１タイマ値で事前に設定される又はオプションで設定される。１つ又は複数の値は、近隣ノードのＲＡＴに依存し得る。１つ又は複数の値はまた、ＵＥのトランシーバ設定に依存し得る。その値は、事例ベースと呼ばれ得る。
【００６７】
いくつかの実施形態において、本方法は、ＵＥがトランシーバ選択指示を受信する、ステップ３１１を含み得る。たとえば、ＵＥは、ネットワークノード、たとえばマスタｇＮＢ又は２次ｇＮＢ、からのＣＧＩ取得のためにどの送信器を使用するかの指示を受信し得る。
【００６８】
特定の実施形態において、指示は、ＵＥが、近隣ノードと同じ周波数範囲及び／又は同じＲＡＴで動作するように設定されたトランシーバを選択することになる、ということを指定する。指示は、ＵＥはＣＧＩ取得のためのトランシーバを自律的に選択することができる、ということを指定することができる。
【００６９】
ステップ３１２で、ＵＥは、ＣＧＩ取得のための適切なトランシーバを選択する。これは、使用中のトランシーバに基づく、使用中のトランシーバのうちのどれが近隣ノードのＣＧＩ取得のために最も適しているかに基づく、又は任意の他の適切な基準に基づくことが可能である。
【００７０】
ステップ３１４で、ＵＥは、選択されたトランシーバと事前に設定された又は設定された事例ベースのＴ３２１タイマ値とに基づいて適用可能なＴ３２１時間値を決定する。ステップ３１６で、ＵＥは、近隣ノードからのＣＧＩ取得を開始及び実行するときに、決定されたＴ３２１時間値を考慮する。
【００７１】
いくつかの実施形態において、トランシーバ選択及び１つ又は複数の事例ベースのＴ３２１タイマ値に基づいて、ＵＥは、Ｔ３２１タイマ値を決定し、ＵＥがＣＧＩ報告要求を取得するときに、タイマを起動する。タイマが実行している間、ＵＥは、近隣ノードからＣＧＩを取得しようと試み、次いで、近隣ノードに応答する。Ｔ３２１タイマが満了した場合、ＵＥは、空のＣＧＩ報告で応答する。
【００７２】
いくつかの実施形態において、本方法は、ＵＥが、決定されたＴ３２１タイマ値を接続されたノード、たとえば基地局（たとえば、マスタノード、２次ノードなど）、に報告する、ステップ３１８を含み得る。一般に、特定の実施形態は、選択されたトランシーバ及び近隣ノード設定に基づくＣＧＩ取得のための事例ベースのＴ３２１タイマ値決定を含む。
【００７３】
図４は、特定の実施形態による、シグナリングを示す流れ図である。ステップ４００で、事例ベースのＴ３２１タイマ値は、接続されたノード（たとえば、マスタノード又は２次ノード）によって、事前に設定される又はオプションで設定される。ステップ４１０で、マスタノード又は２次ノードは、ＣＧＩ要求をＵＥに送る。要求は、通常は、近隣ノードの物理セル識別子（ＰＣＩ）を報告するＵＥによってトリガされ、そして、ＰＣＩは、接続されたノードによって知られていない、又は曖昧であると考えられる。
【００７４】
ステップ４２０で、ＵＥは、ＣＧＩ取得のための適切なトランシーバを選択する。ステップ４３０で、ＵＥは、近隣ノードからＣＧＩを取得し、ステップ４４０で、接続されたノード（たとえば、マスタノード又は２次ノード）にＣＧＩを報告する。
【００７５】
図５は、特定の実施形態による、例示的無線デバイスを示すブロック図である。無線デバイス１０（たとえば、ＵＥ）は、２つ以上の無線フロントエンド１１、処理回路２０、及びメモリ３０を含む。無線デバイス１０は、図６に関してさらに詳細に説明される無線デバイス１１０と類似している。無線フロントエンド１１、処理回路２０及びメモリ３０は、それぞれ、図６に関してさらに詳しく説明される、無線フロントエンド１１１、処理回路１２０、及びメモリ１３０に類似している。
【００７６】
ＮＲにおいて、ＰＣＩは、同期シーケンスブロック（ＳＳＢ）においてエンコードされる。ＬＴＥは、設定された場合、ＵＥがＣＧＩを取得することができるＰＣＩに関連するシステム情報を含む。ＮＲは、ＳＳＢがそれの関連システム情報で多重化されなくてもよい、いくつかの異なる配備を含む。言い換えれば、ＵＥは、ＬＴＥとは異なる、ＵＥが設定されたＰＣＩに関連するＣＧＩを取得するために、それのトランシーバを再チューニングする必要があることがあり、ＣＧＩを取得するためにより長いタイマを必要とすることがある。したがって、ＮＲ  ＵＥは、より長いＴ３２１値で設定されることから利益を得ることができる。
【００７７】
ＣＧＩを取得するためにより長い時間を必要とし得るＮＲにおける別のシナリオは、ＵＥが複数のＣＧＩを取得するように設定されるときである。ＮＲにおいて、ネットワークは、ＵＥがそこから複数のＣＧＩを取得及び報告することになるＰＣＩ（又は測定対象）のリストでＵＥを設定し得、より長いＴ３２１タイマ値を有することから利益を得るＬＴＥにおいてよりも（ＲＡＴ内事例についても）長い時間を要し得る。
【００７８】
ＣＧＩを取得するためのより長い時間をもたらし得るＮＲにおける別のシナリオは、ＵＥがオンデマンドでシステム情報を実行する必要があるときである。言い換えれば、所与のＰＣＩは、ＣＧＩを送信していないことがあり、そして、ＵＥは、システム情報を必要とし、追加の無線ラウンドトリップタイムを必要とすることになる。
【００７９】
図６は、ある種の実施形態による、例示的無線ネットワークを示す。無線ネットワークは、任意のタイプの通信、電気通信、データ、セルラ、及び／又は無線ネットワーク或いは他の類似のタイプのシステムを備える及び／又はこれらとインターフェースすることができる。いくつかの実施形態において、無線ネットワークは、特定の標準又は他のタイプの予め規定されたルール若しくは手続きに従って動作するように設定され得る。したがって、無線ネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）、及び／又は他の適切な２Ｇ、３Ｇ、４Ｇ、又は５Ｇ標準などの通信標準、ＩＥＥＥ８０２．１１標準などの無線ローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切な無線通信標準を実装し得る。
【００８０】
ネットワーク１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、ワイヤードネットワーク、無線ネットワーク、メトロポリタンエリアネットワーク、及び、デバイス間の通信を可能にするための他のネットワークを備え得る。
【００８１】
ネットワークノード１６０及びＷＤ１１０は、さらに詳しく後述される様々な構成要素を備える。これらの構成要素は、無線ネットワークにおいて無線接続を提供することなど、ネットワークノード及び／又は無線デバイス機能性を提供するために連携する。異なる実施形態において、無線ネットワークは、任意の数のワイヤード又は無線ネットワーク、ネットワークノード、基地局、コントローラ、無線デバイス、リレー局、並びに／或いは、ワイヤード接続又は無線接続のいずれを介してでもデータ及び／又は信号の通信を円滑にする又はこれに参加する任意の他の構成要素又はシステムを備え得る。
【００８２】
本明細書では、ネットワークノードは、無線デバイスへの無線アクセスを可能にする及び／又は提供するために無線デバイスと及び／又は無線ネットワーク内の他のネットワークノード又は機器と直接的又は間接的に通信する並びに／或いは無線ネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。
【００８３】
基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。
【００８４】
ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、無線ネットワークへのアクセスを無線デバイスに可能にする及び／又は提供するための或いは無線ネットワークにアクセスした無線デバイスに何らかのサービスを提供するための能力を有する、そのように設定された、配置された、及び／又は動作可能な任意の適切なデバイス（又はデバイスのグループ）を表し得る。
【００８５】
図６において、ネットワークノード１６０は、処理回路１７０、デバイス可読媒体１８０、インターフェース１９０、補助機器１８４、電源１８６、電力回路１８７、及びアンテナ１６２を含む。図１の例示的無線ネットワークに示されたネットワークノード１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１８０は、複数の別個のハードドライブ並びに複数のＲＡＭモジュールを備え得る）。
【００８６】
同様に、ネットワークノード１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１８０）、いくつかの構成要素は再使用され得る（たとえば、同じアンテナ１６２がＲＡＴによって共用され得る）。ネットワークノード１６０はまた、たとえば、ＧＳＭ、ＷＣＤＭＡ、ＬＴＥ、ＮＲ、ＷｉＦｉ、又はブルートゥース無線技術など、ネットワークノード１６０に統合された異なる無線技術のための様々な図示された構成要素の複数のセットを含み得る。これらの無線技術は、ネットワークノード１６０内の同じ又は異なるチップ又はチップのセット及び他の構成要素内に統合され得る。
【００８７】
処理回路１７０は、ネットワークノードによって提供されているものとして本明細書に記載された任意の判定、計算又は類似の動作（たとえば、ある種の取得動作）を実行するように設定される。処理回路１７０によって実行される動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１７０によって取得された情報を処理すること、並びに前記処理の結果として判定を行うことを含み得る。
【００８８】
処理回路１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１８０などの他のネットワークノード１６０構成要素と併せて、ネットワークノード１６０機能を提供するように動作可能なハードウェア、ソフトウェア及び／又は符号化されたロジックの組合せを備え得る。たとえば、処理回路１７０は、デバイス可読媒体１８０に又は処理回路１７０内のメモリに記憶された命令を実行し得る。そのような機能性は、本明細書で論じられる様々な無線特徴、機能、又は利益のいずれかの提供を含み得る。一部の実施形態では、処理回路１７０は、システムオンチップ（ＳＯＣ）を含み得る。
【００８９】
一部の実施形態では、処理回路１７０は、無線周波数（ＲＦ）トランシーバ回路１７２及びベースバンド処理回路１７４のうちの１つ又は複数を含み得る。一部の実施形態では、無線周波数（ＲＦ）トランシーバ回路１７２及びベースバンド処理回路１７４は、別個のチップ（又はチップのセット）、ボード、又は、無線ユニット及びデジタルユニットなどのユニット上でもよい。代替実施形態において、ＲＦトランシーバ回路１７２及びベースバンド処理回路１７４の一部又はすべては、同じチップ又はチップのセット、ボード、又はユニット上でもよい。
【００９０】
ある種の実施形態では、ネットワークノード、基地局、ｅＮＢ又は他のそのようなネットワークデバイスによって提供されているものとしての本明細書に記載の機能性の一部又はすべては、デバイス可読媒体１８０又は処理回路１７０内のメモリに記憶された命令を実行する処理回路１７０によって実行され得る。代替実施形態において、機能性のうちの一部又はすべては、ハードワイヤード方式などで、別個の又はディスクリートデバイスの可読媒体に記憶された命令を実行することなしに処理回路１７０によって提供され得る。それらの実施形態のいずれにおいてでも、デバイス可読記憶媒体に記憶された命令を実行してもしなくても、処理回路１７０は、記載された機能を実行するように設定することができる。そのような機能によってもたらされる利益は、単独で処理回路１７０に又はネットワークノード１６０の他の構成要素に制限されないが、ネットワークノード１６０全体によって、並びに／或いは一般にエンドユーザ及び無線ネットワークによって享受される。
【００９１】
デバイス可読媒体１８０は、処理回路１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１８０は、コンピュータプログラム、ソフトウェア、ロジック、ルール、コード、テーブルなどのうちの１つ又は複数を含むアプリケーション、及び／又は処理回路１７０によって実行することができる及びネットワークノード１６０によって使用することができる他の命令を含む、任意の適切な命令、データ又は情報を記憶し得る。デバイス可読媒体１８０は、処理回路１７０によって行われる任意の計算及び／又はインターフェース１９０を介して受信される任意のデータを記憶するために使用され得る。一部の実施形態では、処理回路１７０及びデバイス可読媒体１８０は、統合されると考えられ得る。
【００９２】
インターフェース１９０は、ネットワークノード１６０、ネットワーク１０６、及び／又はＷＤ１１０の間のシグナリング及び／又はデータのワイヤード又は無線通信において使用される。図示されているように、インターフェース１９０は、たとえば、ワイヤード接続を介してネットワーク１０６に及びネットワーク１０６から、データを送信及び受信するために、ポート／端末１９４を備える。インターフェース１９０はまた、アンテナ１６２に連結され得る又はある種の実施形態においてアンテナ１６２の一部であることがある、無線フロントエンド回路１９２を含む。無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整するように設定され得る。無線フロントエンド回路１９２は、無線接続を介して他のネットワークノード又はＷＤに送出されることになるデジタルデータを受信し得る。無線フロントエンド回路１９２は、フィルタ１９８及び／又は増幅器１９６の組合せを使用する適切なチャンネル及び帯域幅パラメータを有する無線信号にデジタルデータを変換し得る。無線信号は、次いで、アンテナ１６２を介して送信され得る。同様に、データを受信するとき、アンテナ１６２は、次いで無線フロントエンド回路１９２によってデジタルデータに変換される無線信号を収集し得る。デジタルデータは、処理回路１７０に渡され得る。他の実施形態において、インターフェースは、異なる構成要素及び／又は異なる組合せの構成要素を備え得る。
【００９３】
ある種の代替実施形態において、ネットワークノード１６０は、別個の無線フロントエンド回路１９２を含まないことがあり、代わりに、処理回路１７０が、無線フロントエンド回路を備え得、別個の無線フロントエンド回路１９２なしにアンテナ１６２に接続され得る。同様に、一部の実施形態では、すべての又は一部のＲＦトランシーバ回路１７２は、インターフェース１９０の一部と考えられ得る。さらに他の実施形態において、インターフェース１９０は、１つ又は複数のポート又は端末１９４、無線フロントエンド回路１９２、並びにＲＦトランシーバ回路１７２、無線ユニット（図示せず）の一部としての、を含み得、、インターフェース１９０は、デジタルユニット（図示せず）の一部であるベースバンド処理回路１７４と通信し得る。
【００９４】
アンテナ１６２は、無線信号を送信及び／又は受信するように設定された、１つ又は複数のアンテナ、又はアンテナアレイを含み得る。アンテナ１６２は、無線フロントエンド回路１９０に結合され得、無線にデータ及び／又は信号を送信及び受信する能力を有する任意のタイプのアンテナでもよい。一部の実施形態では、アンテナ１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、かつ、パネルアンテナは、相対的に直線で無線信号を送信／受信するために使用される見通し線アンテナでもよい。場合によっては、複数のアンテナの使用は、ＭＩＭＯと称され得る。ある種の実施形態では、アンテナ１６２は、ネットワークノード１６０とは別個でもよく、インターフェース又はポートを介してネットワークノード１６０に接続可能になり得る。
【００９５】
アンテナ１６２、インターフェース１９０、及び／又は処理回路１７０は、ネットワークノードによって実行されるものとして本明細書に記載された任意の受信動作及び／又はある種の取得動作を実行するように設定され得る。任意の情報、データ及び／又は信号が、無線デバイス、別のネットワークノード及び／又は任意の他のネットワーク機器から受信され得る。同様に、アンテナ１６２、インターフェース１９０、及び／又は処理回路１７０は、ネットワークノードによって実行されるものとして本明細書に記載された任意の送信動作を実行するように設定され得る。任意の情報、データ及び／又は信号は、無線デバイス、別のネットワークノード及び／又は任意の他のネットワーク機器に送信され得る。
【００９６】
電力回路１８７は、電力管理回路を備え得る、又はこれに連結され得、本明細書に記載の機能性を実行するための電力をネットワークノード１６０の構成要素に供給するように設定される。電力回路１８７は、電源１８６から電力を受信し得る。電源１８６及び／又は電力回路１８７は、それぞれの構成要素に適した形でネットワークノード１６０の様々な構成要素に電力を提供する（たとえば、それぞれの構成要素のために必要とされる電圧及び電流レベルで）ように設定され得る。電源１８６は、電力回路１８７及び／又はネットワークノード１６０に含まれても、これらの外部でもよい。たとえば、ネットワークノード１６０は、電気ケーブルなどの入力回路又はインターフェースを介して外部電源（たとえば、電気コンセント）に接続可能になり得、それにより、外部電源が電力回路１８７に電力を供給する。さらなる例として、電源１８６は、電力回路１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００９７】
ネットワークノード１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図６に示されたものを超える追加の構成要素を含み得る。たとえば、ネットワークノード１６０は、ネットワークノード１６０への情報の入力を可能にするために、及びネットワークノード１６０からの情報の出力を可能にするために、ユーザインターフェース機器を含み得る。これは、ネットワークノード１６０のための診断、メンテナンス、修理、及び他の管理機能をユーザが実行することを可能にし得る。
【００９８】
本明細書では、無線デバイス（ＷＤ）は、ネットワークノード及び／又は他の無線デバイスと無線に通信する能力を有する、そのように設定された、配置された及び／又は動作可能なデバイスを指す。特に断りのない限り、ＷＤという用語は、ユーザ機器（ＵＥ）と同義で本明細書において使用され得る。無線に通信することは、電磁波、無線波、赤外線波、及び／又は電波を介して情報を伝えるのに適した他のタイプの信号を使用して無線信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。
【００９９】
ＷＤの例は、スマートフォン、携帯電話、セルフォン、ボイスオーバーＩＰ（ＶｏＩＰ）フォン、無線ローカルループフォン、デスクトップコンピュータ、携帯情報端末（ＰＤＡ）、無線カメラ、ゲーム機又はデバイス、音楽記憶デバイス、再生装置、ウェアラブル端末デバイス、無線エンドポイント、モバイル局、タブレット、ラップトップ、ラップトップ埋め込み機器（ＬＥＥ）、ラップトップ搭載機器（ＬＭＥ）、スマートデバイス、無線顧客構内機器（ＣＰＥ）。車両搭載無線端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。
【０１００】
さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。
【０１０１】
他のシナリオにおいて、ＷＤは、その動作状況の監視及び／又は報告或いはその動作に関連する他の機能の能力を有する車両又は他の機器を表し得る。前述のようなＷＤは、無線接続のエンドポイントを表し得、その場合、デバイスは無線端末と称され得る。さらに、前述のようなＷＤは、モバイルでもよく、その場合、それはモバイルデバイス又はモバイル端末とも称され得る。
【０１０２】
図示されているように、無線デバイス１１０は、アンテナ１１１、インターフェース１１４、処理回路１２０、デバイス可読媒体１３０、ユーザインターフェース機器１３２、補助機器１３４、電源１３６及び電力回路１３７を含む。ＷＤ１１０は、たとえば、少し例を挙げると、ＧＳＭ、ＷＣＤＭＡ、ＬＴＥ、ＮＲ、ＷｉＦｉ、ＷｉＭＡＸ、又はブルートゥース無線技術など、ＷＤ１１０によってサポートされる異なる無線技術のための、図示された構成要素のうちの１つ又は複数の構成要素の複数のセットを含み得る。これらの無線技術は、ＷＤ１１０内の他の構成要素と同じ又は異なるチップ又はチップのセットに統合され得る。
【０１０３】
アンテナ１１１は、無線信号を送信及び／又は受信するように設定された１つ又は複数のアンテナ又はアンテナアレイを含み得、インターフェース１１４に接続される。ある種の代替実施形態において、アンテナ１１１は、ＷＤ１１０とは別個でもよく、インターフェース又はポートを介してＷＤ１１０に接続可能になり得る。アンテナ１１１、インターフェース１１４、及び／又は処理回路１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１は、インターフェースと考えられ得る。
【０１０４】
図示されているように、インターフェース１１４は、無線フロントエンド回路１１２及びアンテナ１１１を備える。無線フロントエンド回路１１２は、１つ又は複数のフィルタ１１８及び増幅器１１６を備える。無線フロントエンド回路１１４は、アンテナ１１１及び処理回路１２０に接続され、アンテナ１１１と処理回路１２０との間で通信される信号を調整するように設定される。無線フロントエンド回路１１２は、アンテナ１１１に連結され得る、又はアンテナ１１１の一部でもよい。一部の実施形態では、ＷＤ１１０は、別個の無線フロントエンド回路１１２を含まないことがあり、そうではなくて、処理回路１２０は、無線フロントエンド回路を備え得、アンテナ１１１に接続され得る。同様に、一部の実施形態では、ＲＦトランシーバ回路１２２の一部又はすべては、インターフェース１１４の一部と考えられ得る。無線フロントエンド回路１１２は、無線接続を介して他のネットワークノード又はＷＤに送出されることになるデジタルデータを受信し得る。無線フロントエンド回路１１２は、フィルタ１１８及び／又は増幅器１１６の組合せを使用して適切なチャンネル及び帯域幅パラメータを有する無線信号にデジタルデータを変換し得る。無線信号は、次いで、アンテナ１１１を介して送信され得る。同様に、データを受信しているとき、アンテナ１１１は、次いで無線フロントエンド回路１１２によってデジタルデータに変換される、無線信号を収集し得る。デジタルデータは、処理回路１２０に渡され得る。他の実施形態において、インターフェースは、異なる構成要素及び／又は異なる組合せの構成要素を備え得る。
【０１０５】
処理回路１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１３０などの他のＷＤ１１０構成要素と連動して、ＷＤ１１０機能性を提供するように動作可能なハードウェア、ソフトウェア、及び／又は符号化されたロジックの組合せを備え得る。そのような機能性は、本明細書で論じられる様々な無線特徴又は利益のいずれかの提供を含み得る。たとえば、処理回路１２０は、本明細書で開示される機能性を提供するために、デバイス可読媒体１３０に又は処理回路１２０内のメモリに記憶された命令を実行し得る。
【０１０６】
図示されているように、処理回路１２０は、ＲＦトランシーバ回路１２２、ベースバンド処理回路１２４、及びアプリケーション処理回路１２６のうちの１つ又は複数を含む。他の実施形態において、処理回路は、異なる構成要素及び／又は異なる組合せの構成要素を備え得る。ある種の実施形態では、ＷＤ１１０の処理回路１２０は、ＳＯＣを備え得る。一部の実施形態では、ＲＦトランシーバ回路１２２、ベースバンド処理回路１２４、及びアプリケーション処理回路１２６は、別個のチップ又はチップのセット上にあることがある。代替実施形態において、ベースバンド処理回路１２４及びアプリケーション処理回路１２６の一部又はすべては、１つのチップ又はチップのセット内に結合され得、ＲＦトランシーバ回路１２２は、別個のチップ又はチップのセット上にあってもよい。さらに代替実施形態において、ＲＦトランシーバ回路１２２及びベースバンド処理回路１２４の一部又はすべては、同じチップ又はチップのセット上にあることがあり、アプリケーション処理回路１２６は、別個のチップ又はチップのセット上にあることがある。さらに他の代替実施形態において、ＲＦトランシーバ回路１２２、ベースバンド処理回路１２４、及びアプリケーション処理回路１２６の一部又はすべては、同じチップ又はチップのセット内に結合され得る。一部の実施形態では、ＲＦトランシーバ回路１２２は、インターフェース１１４の一部でもよい。ＲＦトランシーバ回路１２２は、処理回路１２０のＲＦ信号を調整し得る。
【０１０７】
ある種の実施形態では、ＷＤによって実行されるものとして本明細書に記載の機能性の一部又はすべては、ある種の実施形態ではコンピュータ可読記憶媒体であることがある、デバイス可読媒体１３０に記憶された命令を実行する処理回路１２０によって提供され得る。代替実施形態において、機能性の一部の又はすべては、ハードワイヤード方式などで、別個の又はディスクリートデバイスの可読記憶媒体に記憶された命令を実行することなしに処理回路１２０によって提供され得る。それらの実施形態のうちのいずれかにおいて、デバイス可読記憶媒体に記憶された命令を実行してもしなくても、処理回路１２０は、記載された機能性を実行するように設定され得る。そのような機能性によってもたらされる利益は、処理回路１２０のみに又はＷＤ１１０の他の構成要素に制限されず、ＷＤ１１０によって、及び／又は一般にエンドユーザ及び無線ネットワークによって、享受される。
【０１０８】
処理回路１２０は、ＷＤによって実行されるものとして本明細書に記載された任意の決定、計算、又は類似の動作（たとえば、ある種の取得動作）を実行するように設定され得る。処理回路１２０によって実行されるものとしての、これらの動作は、たとえば、取得された情報を他の情報に変換すること、取得された情報又は変換された情報をＷＤ１１０によって記憶された情報と比較すること、及び／又は取得された情報又は変換された情報に基づいて１つ又は複数の動作を実行することにより、処理回路１２０によって取得された情報を処理すること、並びに前記処理の結果として判定を行うことを含み得る。
【０１０９】
デバイス可読媒体１３０は、コンピュータプログラム、ソフトウェア、ロジック、ルール、コード、テーブルなどのうちの１つ又は複数を含むアプリケーション及び／又は処理回路１２０によって実行することが可能な他の命令を記憶するように動作可能になり得る。デバイス可読媒体１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１２０及びデバイス可読媒体１３０は、統合され得る。
【０１１０】
ユーザインターフェース機器１３２は、人間のユーザがＷＤ１１０と相互作用することを可能にする構成要素を提供し得る。そのような相互作用は、視覚、聴覚、触覚などの多数の形態をとり得る。ユーザインターフェース機器１３２は、ユーザへの出力を生み出すように及びユーザが入力をＷＤ１１０に提供することを可能にするように動作可能になり得る。相互作用のタイプは、ＷＤ１１０にインストールされたユーザインターフェース機器１３２のタイプに応じて変化し得る。たとえば、ＷＤ１１０がスマートフォンである場合には、相互作用はタッチスクリーンを介し得、ＷＤ１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１３２は、入力インターフェース、デバイス及び回路と、出力インターフェース、デバイス及び回路とを含み得る。ユーザインターフェース機器１３２は、ＷＤ１１０への情報の入力を可能にするように設定され、処理回路１２０に接続されて処理回路１２０が入力情報を処理することを可能にする。ユーザインターフェース機器１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１３２はまた、ＷＤ１１０からの情報の出力を可能にするように、及び処理回路１２０がＷＤ１１０から情報を出力することを可能にするように設定される。ユーザインターフェース機器１３２は、たとえば、スピーカ、ディスプレイ、振動回路、ＵＳＢポート、ヘッドフォンインターフェース、又は他の出力回路を含み得る。ユーザインターフェース機器１３２の１つ又は複数の入力及び出力インターフェース、デバイス、及び回路を使用し、ＷＤ１１０は、エンドユーザ及び／又は無線ネットワークと通信することができ、それらが本明細書に記載の機能性から利益を得ることを可能にし得る。
【０１１１】
補助機器１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１３４の構成要素の包含及びタイプは、実施形態及び／又はシナリオに応じて異なり得る。
【０１１２】
一部の実施形態では、電源１３６は、バッテリ又はバッテリパックの形でもよい。外部電源（たとえば、電気コンセント）、光電池デバイス又は動力電池など、他のタイプの電源もまた使用され得る。ＷＤ１１０はさらに、本明細書に記載又は示された任意の機能性を実行するために電源１３６からの電力を必要とするＷＤ１１０の様々な部分に電源１３６から電力を届けるための電力回路１３７を備え得る。ある種の実施形態では、電力回路１３７は、電力管理回路を備え得る。電力回路１３７は、付加的に又は別法として外部電源から電力を受信するように動作可能になり得、その場合、ＷＤ１１０は、入力回路又は電気動力ケーブルなどのインターフェースを介して外部電源（電気コンセントなど）に接続可能になり得る。ある種の実施形態では、電力回路１３７はまた、外部電源から電源１３６に電力を届けるように動作可能になり得る。これは、たとえば、電源１３６の充電のためでもよい。電力回路１３７は、任意のフォーマッティング、変換、又は他の修正を電源１３６からの電力に実行して、電力を、電力が供給される先のＷＤ１１０のそれぞれの構成要素に適するようにさせることができる。
【０１１３】
本明細書に記載の主題は、任意の適切な構成要素を使用する任意の適切なタイプのシステムにおいて実施され得るが、本明細書で開示される実施形態は、図６に示す例示的無線ネットワークなどの無線ネットワークに関して説明されている。簡潔にするために、図６の無線ネットワークは、ネットワーク１０６、ネットワークノード１６０及び１６０ｂ、並びにＷＤ１１０、１１０ｂ、及び１１０ｃのみを示している。実際には、無線ネットワークは、無線デバイス間の通信或いは無線デバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素のうちで、ネットワークノード１６０及び無線デバイス（ＷＤ）１１０が、さらに詳しく描かれている。無線ネットワークは、無線ネットワークによって又はこれを介して提供されるサービスへの無線デバイスのアクセス及び／又はそのようなサービスの無線デバイスの使用を円滑にするために、通信及び他のタイプのサービスを１つ又は複数の無線デバイスに提供し得る。
【０１１４】
図７は、ある種の実施形態による、例示的ユーザ機器を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図７に示されているような、ＵＥ２００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図７はＵＥであるが、本明細書で論じられる構成要素は、ＷＤに同等に適用可能であり、逆もまた同様である。
【０１１５】
図７では、ＵＥ２００は、入力／出力インターフェース２０５、無線周波数（ＲＦ）インターフェース２０９、ネットワーク接続インターフェース２１１、ランダムアクセスメモリ（ＲＡＭ）２１７、読取り専用メモリ（ＲＯＭ）２１９、及び記憶媒体２２１などを含むメモリ２１５、通信サブシステム２３１、電源２３３、及び／又は任意の他の構成要素、或いはその任意の組合せに動作可能なように連結された、処理回路２０１を含む。記憶媒体２２１は、オペレーティングシステム２２３、アプリケーションプログラム２２５、及びデータ２２７を含む。他の実施形態において、記憶媒体２２１は、他の類似のタイプの情報を含み得る。ある種のＵＥは、図７に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１１６】
図７では、処理回路２０１は、コンピュータ命令及びデータを処理するように設定され得る。処理回路２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路２０１は、２つの中央処理装置（ＣＰＵ）を含み得る。データは、コンピュータによる使用に適した形の情報でもよい。
【０１１７】
図示された実施形態では、入力／出力インターフェース２０５は、通信インターフェースを入力デバイス、出力デバイス、或いは、入力及び出力デバイスに提供するように設定され得る。ＵＥ２００は、入力／出力インターフェース２０５を介して出力デバイスを使用するように設定され得る。出力デバイスは、入力デバイスと同じタイプのインターフェースポートを使用し得る。たとえば、ＵＳＢポートは、ＵＥ２００への入力及びＵＥ２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ２００は、ユーザがＵＥ２００内に情報をキャプチャすることを可能にするために入力／出力インターフェース２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１１８】
図７では、ＲＦインターフェース２０９は、送信器、受信器、及びアンテナなどのＲＦ構成要素に通信インターフェースを提供するように設定され得る。ネットワーク接続インターフェース２１１は、通信インターフェースをネットワーク２４３ａに提供するように設定され得る。ネットワーク２４３ａは、ローカルエリアネットワーク（ＬＡＮ）、ワイドエリアネットワーク（ＷＡＮ）、コンピュータネットワーク、無線ネットワーク、通信ネットワーク、別の同様のネットワーク又はその任意の組合せなど、ワイヤード及び／又は無線ネットワークを包含し得る。たとえば、ネットワーク２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１１９】
ＲＡＭ２１７は、オペレーティングシステム、アプリケーションプログラム、及びデバイスドライバなどのソフトウェアプログラムの実行中にデータ又はコンピュータ命令の記憶又はキャッシュを行うために処理回路２０１にバス２０２を介してインターフェースするように設定され得る。ＲＯＭ２１９は、コンピュータ命令又はデータを処理回路２０１に提供するように設定され得る。たとえば、ＲＯＭ２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体２２１は、オペレーティングシステム２２３、ウェブブラウザアプリケーションなどのアプリケーションプログラム２２５、ウィジェット若しくはガジェットエンジン又は別のアプリケーション、及びデータファイル２２７を含むように設定され得る。記憶媒体２２１は、ＵＥ２００によって使用するために、バラエティ豊かな様々なオペレーティングシステムのいずれか又はオペレーティングシステムの組合せを記憶し得る。
【０１２０】
記憶媒体２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体２２１は、ＵＥ２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体２２１において有形に実施され得る。
【０１２１】
図７において、処理回路２０１は、通信サブシステム２３１を使用するネットワーク２４３ｂと通信するように設定され得る。ネットワーク２４３ａ及びネットワーク２４３ｂは、１つ又は複数の同じネットワーク或いは１つ又は複数の異なるネットワークでもよい。通信サブシステム２３１は、ネットワーク２４３ｂと通信するために使用される１つ又は複数のトランシーバを含むように設定され得る。たとえば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、無線通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器２３３及び／又は受信器２３５を含み得る。さらに、各トランシーバの送信器２３３及び受信器２３５は、回路構成要素、ソフトウェア又はファームウェアを共用し得る、或いは別法として別個に実装され得る。
【０１２２】
図示された実施形態において、通信サブシステム２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム２３１は、セルラ通信、Ｗｉ−Ｆｉ通信、ブルートゥース通信、及びＧＰＳ通信を含み得る。ネットワーク２４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワーク又はその任意の組合せなど、ワイヤード及び／又は無線ネットワークを包含し得る。たとえば、ネットワーク２４３ｂは、セルラネットワーク、Ｗｉ−Ｆｉネットワーク、及び／又は近距離無線ネットワークでもよい。電源２１３は、交流（ＡＣ）又は直流（ＤＣ）電力をＵＥ２００の構成要素に提供するように設定され得る。
【０１２３】
本明細書に記載の特徴、利益及び／又は機能は、ＵＥ２００の構成要素のうちの１つにおいて実装され得る、又はＵＥ２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム２３１は、本明細書に記載の構成要素のいずれかを含むように設定され得る。さらに、処理回路２０１は、バス２０２を介してそのような構成要素のいずれかと通信するように設定され得る。別の例では、そのような構成要素のいずれかは、処理回路２０１によって実行されたときに本明細書に記載の対応する機能を実行するメモリに記憶されたプログラム命令によって表され得る。別の例では、そのような構成要素のうちのいずれかの構成要素の機能性は、処理回路２０１と通信サブシステム２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１２４】
図８は、ある種の実施形態による、測定報告のための無線デバイスにおける例示的方法を示す流れ図である。特定の実施形態において、図８の１つ又は複数のステップは、図６に関して説明された無線デバイス１１０によって実行され得る。
【０１２５】
本方法は、無線デバイス（たとえば、無線デバイス１１０）が近隣セルのための測定報告を実行するための命令を受信する、ステップ８１２で開始する。測定報告は、ＣＧＩ報告を含み得る。近隣セルＲＡＴは、５Ｇ  ＮＲでもよい。
【０１２６】
ステップ８１４で、無線デバイスは、測定報告を実行するためのトランシーバを選択し得る。トランシーバ選択は、近隣セルのＲＡＴ及び／又は周波数範囲に基づき得る。無線デバイスは、その選択を決定することができる、或いは、無線デバイスは、どのトランシーバを選択するかのネットワークノードからの指示を受信することができる。
【０１２７】
ステップ８１６で、無線デバイスは、近隣セルのＲＡＴ及び近隣セルの周波数範囲に少なくとも基づいて、測定報告を実行するための測定報告タイマ値を決定する。
【０１２８】
いくつかの実施形態において、測定報告タイマ値を決定することは、第１の周波数範囲（たとえば、４５０メガヘルツから６ギガヘルツ）で動作する近隣セルのための第１の測定報告タイマ値（たとえば、２秒）と第２の周波数範囲（たとえば、２４．２５ギガヘルツから５２．６ギガヘルツ）で動作する近隣セルのための第２の測定報告タイマ値（たとえば、１６秒）との両方を決定することを含む。
【０１２９】
特定の実施形態において、無線デバイスは、２つ以上のトランシーバを備える。本方法はさらに、測定報告を実行するための２つ以上のトランシーバのうちの１つを選択することを含む。測定報告タイマ値を決定することはさらに、選択されたトランシーバに基づく。選択されたトランシーバに基づいて測定報告タイマ値を決定することは、選択されたトランシーバの周波数範囲に又は選択されたトランシーバのＲＡＴに基づいて測定報告タイマ値を決定することを含み得る。
【０１３０】
ステップ８１８で、無線デバイスは、決定された測定報告タイマ値によって指定された時間に近隣セルの無線信号を測定する。無線デバイスは、測定報告をネットワークノードに送ることができる。
【０１３１】
図８の方法８００には、修正、追加、又は省略が行われ得る。加えて、図８の方法における１つ又は複数のステップは、並行して又は任意の適切な順番で実行され得る。
【０１３２】
図９は、ある種の実施形態による、測定報告のためのネットワークノードにおける例示的方法を示す流れ図である。特定の実施形態において、図９の１つ又は複数のステップは、図６に関して説明されたネットワークノード１６０によって実行され得る。
【０１３３】
本方法は、ネットワークノード（たとえば、ネットワークノード１６０）が、近隣セルのＲＡＴ及び近隣セルの周波数範囲に少なくとも基づいて、測定報告を実行するための測定報告タイマ値を決定する、ステップ９１２で開始する。
【０１３４】
いくつかの実施形態において、測定報告タイマ値を決定することは、第１の周波数範囲（たとえば、４５０メガヘルツから６ギガヘルツ）で動作する近隣セルのための第１の測定報告タイマ値（たとえば、２秒）と第２の周波数範囲（たとえば、２４．２５ギガヘルツから５２．６ギガヘルツ）で動作する近隣セルのための第２の測定報告タイマ値（たとえば、１６秒）との両方を決定することを含む。
【０１３５】
特定の実施形態において、無線デバイスは、２つ以上のトランシーバを備える。本方法は、測定報告を実行するための２つ以上のトランシーバのうちの１つを選択することをさらに含み得る。測定報告タイマ値を決定することはさらに、選択されたトランシーバに基づく。選択されたトランシーバに基づいて測定報告タイマ値を決定することは、選択されたトランシーバの周波数範囲に又は選択されたトランシーバのＲＡＴに基づいて測定報告タイマ値を決定することを含み得る。
【０１３６】
ステップ９１４で、ネットワークノードは、決定された測定報告タイマ値を無線デバイス（たとえば、無線デバイス１１０）に送信する。
【０１３７】
ステップ９１６で、ネットワークノードは、選択された受信器の指示を無線デバイスに送信することができる。いくつかの実施形態において、ステップ９１６は、ステップ９１４と結合させることができ、報告タイマ値と選択された受信器との両方が、無線デバイスに一緒に送信され得る。
【０１３８】
図９の方法９００には、修正、追加、又は省略が行われ得る。加えて、図９の方法の１つ又は複数のステップは、並行して又は任意の適切な順番で実行され得る。
【０１３９】
図１０は、無線ネットワーク（たとえば、図６に示された無線ネットワーク）内の２つの装置の概略的ブロック図を示す。装置は、無線デバイス及びネットワークノード（たとえば、図６に示された無線デバイス１１０及びネットワークノード１６０）を含む。装置１６００及び１７００は、それぞれ図８及び９を参照して説明した例示的方法と、場合により本明細書で開示される任意の他のプロセス又は方法とを実施するように動作可能である。図８及び９の方法は、必ずしも装置１６００及び／又は装置１７００のみによって実施されない、ということもまた理解されたい。本方法の少なくともいくつかの動作は、１つ又は複数の他のエンティティによって実行され得る。
【０１４０】
仮想装置１６００及び１７００は、１つ又は複数のマイクロプロセッサ又はマイクロコントローラ、並びに、デジタル信号プロセッサ（ＤＳＰ）、専用デジタルロジックなどを含み得る、他のデジタルハードウェアを含み得る、処理回路を備え得る。処理回路は、１つの又はいくつかのタイプのメモリ、たとえば、読取り専用メモリ（ＲＯＭ）、ランダムアクセスメモリ、キャッシュメモリ、フラッシュメモリデバイス、光学式記憶デバイスなど、を含み得る、メモリに記憶されたプログラムコードを実行するように設定され得る。メモリに記憶されたプログラムコードは、いくつかの実施形態では、１つ又は複数の電気通信及び／又はデータ通信プロトコルを実行するためのプログラム命令並びに本明細書に記載の技法のうちの１つ又は複数を実施するための命令を含む。
【０１４１】
いくつかの実装形態において、処理回路は、本開示の１つ又は複数の実施形態による対応する機能を受信モジュール１６０２、決定モジュール１６０４、測定モジュール１６０６、及び装置１６００の任意の他の適切なユニットに実行させるために使用され得る。同様に、前述の処理回路は、本開示の１つ又は複数の実施形態による対応する機能を決定モジュール１７０２、送信モジュール１７０４及び装置１７００の任意の他の適切なユニットに実行させるために使用され得る。
【０１４２】
図１０に示すように、装置１６００は、受信モジュール１６０２、決定モジュール１６０４、及び測定モジュール１６０６を含む。ある種の実施形態において、受信モジュール１６０２は、本明細書に記載の実施形態及び例のいずれかに従って、ネットワークノードから測定報告命令及び／又は設定を受信し得る。決定モジュール１６０４は、本明細書に記載の実施形態及び例のいずれかに従って、測定報告タイマ値を決定する及び／又はトランシーバを選択することができる。測定モジュール１６０６は、本明細書に記載の実施形態及び例のいずれかに従って、無線測定を実行することができる。
【０１４３】
図１０に示すように、装置１７００は、決定モジュール１７０２及び送信モジュール１７０４を含む。決定モジュール１７０２は、本明細書に記載の実施形態及び例のいずれかに従って、測定報告タイマ値を決定する及び／又はトランシーバを選択することができる。送信モジュール１７０６は、本明細書に記載の実施形態及び例のいずれかに従って、測定報告タイマ値及び／又は選択されたトランシーバを無線デバイスに送信することができる。
【０１４４】
図１１は、一部の実施形態によって実装される機能が仮想化され得る仮想化環境３００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、無線デバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１４５】
一部の実施形態では、本明細書に記載の機能の一部又はすべては、ハードウェアノード３３０のうちの１つ又は複数によってホストされる１つ又は複数の仮想環境３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、ネットワークノードは、完全に仮想化され得る。
【０１４６】
本機能は、本明細書で開示される実施形態のうちのいくつかの実施形態の特徴、機能、及び／又は利益のうちのいくつかを実装するように動作可能な１つ又は複数のアプリケーション３２０（ソフトウェアインスタンス、仮想アプライアンス、ネットワーク機能、仮想ノード、仮想ネットワーク機能などと別称され得る）によって実装され得る。アプリケーション３２０は、処理回路３６０及びメモリ３９０を備えるハードウェア３３０を提供する仮想化環境３００において実行される。メモリ３９０は、処理回路３６０によって実行可能な命令３９５を含み、それにより、アプリケーション３２０は、本明細書で開示される特徴、利益、及び／又は機能のうちの１つ又は複数を提供するように動作可能である。
【０１４７】
仮想化環境３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路３６０を備えた、汎用又は専用ネットワークハードウェアデバイス３３０を備える。各ハードウェアデバイスは、命令３９５又は処理回路３６０によって実行されるソフトウェアを一時的に記憶するための非永続メモリでもよいメモリ３９０−１を備え得る。各ハードウェアデバイスは、物理ネットワークインターフェース３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）３７０を備え得る。各ハードウェアデバイスはまた、ソフトウェア３９５がそこに記憶された非一時的、永続的、マシン可読記憶媒体３９０−２、及び／又は処理回路３６０によって実行可能な命令を含み得る。ソフトウェア３９５は、１つ又は複数の仮想化レイヤ３５０（ハイパーバイザとも呼ばれる）のインスタンスを作成するためのソフトウェア、仮想マシン３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１４８】
仮想マシン３４０は、仮想処理、仮想メモリ、仮想ネットワーキング又はインターフェース及び仮想ストレージを備え、対応する仮想化レイヤ３５０又はハイパーバイザによって実行され得る。仮想アプライアンス３２０のインスタンスの異なる実施形態は、仮想マシン３４０のうちの１つ又は複数で実装され得、実装形態は、異なる形で行われ得る。
【０１４９】
動作中、処理回路３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ３５０のインスタンスを作成するために、ソフトウェア３９５を実行する。仮想化レイヤ３５０は、仮想マシン３４０にネットワーキングハードウェアのように見える仮想オペレーティングプラットフォームを示し得る。
【０１５０】
図１１に示されるように、ハードウェア３３０は、一般又は特定の構成要素を有するスタンドアロンネットワークノードでもよい。ハードウェア３３０は、アンテナ３２２５を備え得、仮想化を介していくつかの機能を実装し得る。別法として、ハードウェア３３０は、多数のハードウェアノードが連携する及び、とりわけアプリケーション３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）３１００を介して管理される、ハードウェアのより大きなクラスタ（たとえば、データセンタ又は顧客構内機器（ＣＰＥ）内など）の一部でもよい。
【０１５１】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１５２】
ＮＦＶとの関連で、仮想マシン３４０は、プログラムが物理的な非仮想化マシンで実行していたかのようにプログラムを実行する物理マシンのソフトウェア実装形態でもよい。それぞれの仮想マシン３４０、及びその仮想マシンを実行するハードウェア３３０のその部分は、それがその仮想マシン専用のハードウェア及び／又は他の仮想マシン３４０とその仮想マシンによって共用されるハードウェアであれば、別個の仮想ネットワーク要素（ＶＮＥ）を形成する。
【０１５３】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ３３０の最上部の１つ又は複数の仮想マシン３４０において実行する特定のネットワーク機能を処理する責任を有し、図１１のアプリケーション３２０に対応する。
【０１５４】
一部の実施形態では、１つ又は複数の送信器３２２０及び１つ又は複数の受信器３２１０をそれぞれ含む１つ又は複数の無線ユニット３２００は、１つ又は複数のアンテナ３２２５に連結され得る。無線ユニット３２００は、１つ又は複数の適切なネットワークインターフェースを介してハードウェアノード３３０と直接通信することができ、無線アクセスノード又は基地局などの無線能力を有する仮想ノードを提供するために仮想構成要素と組み合わせて使用され得る。
【０１５５】
一部の実施形態では、一部のシグナリングは、別法としてハードウェアノード３３０と無線ユニット３２００との間の通信のために使用され得る制御システム３２３０の使用の影響を受け得る。
【０１５６】
図１２を参照すると、一実施形態によれば、通信システムは、無線アクセスネットワークなどのアクセスネットワーク４１１及びコアネットワーク４１４を備える、３ＧＰＰタイプのセルラネットワークなどの通信ネットワーク４１０を含む。アクセスネットワーク４１１は、それぞれが対応するカバレッジエリア４１３ａ、４１３ｂ、４１３ｃを規定する、ＮＢ、ｅＮＢ、ｇＮＢ又は他のタイプの無線アクセスポイントなどの複数の基地局４１２ａ、４１２ｂ、４１２ｃを備える。各基地局４１２ａ、４１２ｂ、４１２ｃは、ワイヤード又は無線接続４１５を介してコアネットワーク４１４に接続可能である。カバレッジエリア４１３ｃ内に置かれた第１のＵＥ４９１は、対応する基地局４１２ｃに無線で接続される又は対応する基地局４１２ｃによってページングされるように設定され得る。カバレッジエリア４１３ａ内の第２のＵＥ４９２は、対応する基地局４１２ａに無線に接続可能である。複数のＵＥ４９１、４９２が本例では図示されているが、開示される実施形態は、唯一のＵＥがカバレッジエリア内にある又は唯一のＵＥが対応する基地局４１２に接続している状況に同等に適用可能である。
【０１５７】
通信ネットワーク４１０自体は、ホストコンピュータ４３０に接続され、ホストコンピュータ４３０は、スタンドアロンサーバ、クラウド実装されたサーバ、分散型サーバのハードウェア及び／又はソフトウェアにおいて或いはサーバファーム内の処理資源として実施され得る。ホストコンピュータ４３０は、サービスプロバイダの所有権又は制御の下にあってもよく、或いはサービスプロバイダによって又はサービスプロバイダのために動作させられ得る。通信ネットワーク４１０とホストコンピュータ４３０との接続４２１及び４２２は、コアネットワーク４１４からホストコンピュータ４３０に直接延びてもよく、或いはオプションの中間ネットワーク４２０を介してもよい。中間ネットワーク４２０は、パブリックネットワーク、プライベートネットワーク又はホスト型ネットワークのうちの１つ、又はそれらのうちの２つ以上の組合せでもよく、中間ネットワーク４２０は、もしあるなら、バックボーンネットワーク又はインターネットでもよく、具体的には、中間ネットワーク４２０は、２つ以上のサブネットワーク（図示せず）を備え得る。
【０１５８】
全体としての図１２の通信システムは、接続されたＵＥ４９１、４９２及びホストコンピュータ４３０の間の接続性を有効にする。接続性は、オーバーザトップ（ＯＴＴ：ｏｖｅｒ−ｔｈｅ−ｔｏｐ）接続４５０として説明され得る。ホストコンピュータ４３０及び接続されたＵＥ４９１、４９２は、媒介としてアクセスネットワーク４１１、コアネットワーク４１４、任意の中間ネットワーク４２０及び可能なさらなるインフラストラクチャ（図示せず）を使用し、ＯＴＴ接続４５０を介してデータ及び／又はシグナリングを通信するように設定される。ＯＴＴ接続４５０は、ＯＴＴ接続４５０が通過する参加通信デバイスはアップリンク及びダウンリンク通信のルーティングを認識しないという意味で、透過的になり得る。たとえば、基地局４１２は、接続されたＵＥ４９１に転送される（たとえば、ハンドオーバされる）ことになるホストコンピュータ４３０に由来するデータとの着信ダウンリンク通信の過去のルーティングに関して知らされないことがある、又は知らされる必要はない。同様に、基地局４１２は、ＵＥ４９１からホストコンピュータ４３０に向けて始められる外向きのアップリンク通信の未来のルーティングを認識する必要はない。
【０１５９】
図１３は、ある種の実施形態による、部分的無線接続を介してユーザ機器と基地局を介して通信する例示的ホストコンピュータを示す。前段落で論じられたＵＥ、基地局及びホストコンピュータの一実施形態による例示的実装形態について、図１３を参照して、ここで説明する。通信システム５００では、ホストコンピュータ５１０は、通信システム５００の異なる通信デバイスのインターフェースとのワイヤード又は無線接続をセットアップ及び維持するように設定された通信インターフェース５１６を含むハードウェア５１５を備える。ホストコンピュータ５１０はさらに、ストレージ及び／又は処理能力を有し得る処理回路５１８を備える。具体的には、処理回路５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ５１０はさらに、ホストコンピュータ５１０に記憶された若しくはこれによってアクセス可能な及び処理回路５１８によって実行可能な、ソフトウェア５１１を備える。ソフトウェア５１１は、ホストアプリケーション５１２を含む。ホストアプリケーション５１２は、ＵＥ５３０及びホストコンピュータ５１０で終了するＯＴＴ接続５５０を介して接続するＵＥ５３０など、リモートユーザにサービスを提供するように動作可能になり得る。サービスのリモートユーザへの提供において、ホストアプリケーション５１２は、ＯＴＴ接続５５０を使用して送信されるユーザデータを提供し得る。
【０１６０】
通信システム５００はさらに、通信システムにおいて提供される並びにホストコンピュータ５１０と及びＵＥ５３０とそれが通信することを可能にするハードウェア５２５を備える、基地局５２０を含む。ハードウェア５２５は、通信システム５００の異なる通信デバイスのインターフェースとのワイヤード又は無線接続をセットアップ及び維持するための通信インターフェース５２６、並びに基地局５２０によってサービスされるカバレッジエリア（図１３には図示せず）内に置かれたＵＥ５３０との無線接続５７０を少なくともセットアップ及び維持するための無線インターフェース５２７を含み得る。通信インターフェース５２６は、ホストコンピュータ５１０への接続５６０を円滑にするように設定され得る。接続５６０は直接でもよく、或いは、接続５６０は、通信システムのコアネットワーク（図１３に示さず）を通過及び／又は通信システム外部の１つ又は複数の中間ネットワークを通過してもよい。示された実施形態では、基地局５２０のハードウェア５２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５２８を含む。基地局５２０はさらに、内部に記憶された又は外部接続を介してアクセス可能なソフトウェア５２１を有する。
【０１６１】
通信システム５００はさらに、すでに参照されたＵＥ５３０を含む。それのハードウェア５３５は、ＵＥ５３０が現在位置するカバレッジエリアにサービスする基地局との無線接続５７０をセットアップ及び維持するように設定された無線インターフェース５３７を含み得る。ＵＥ５３０のハードウェア５３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５３８を含む。ＵＥ５３０はさらに、ＵＥ５３０に記憶された若しくはこれによってアクセス可能な及び処理回路５３８によって実行可能なソフトウェア５３１を備える。ソフトウェア５３１は、クライアントアプリケーション５３２を含む。クライアントアプリケーション５３２は、ホストコンピュータ５１０のサポートを有して、ＵＥ５３０を介して人間又は非人間ユーザにサービスを提供するように動作可能になり得る。ホストコンピュータ５１０では、実行中のホストアプリケーション５１２は、ＵＥ５３０及びホストコンピュータ５１０で終了するＯＴＴ接続５５０を介して実行中のクライアントアプリケーション５３２と通信し得る。ユーザへのサービス提供において、クライアントアプリケーション５３２は、ホストアプリケーション５１２から要求データを受信し、要求データに応答してユーザデータを提供することができる。ＯＴＴ接続５５０は、要求データ及びユーザデータの両方を転送することができる。クライアントアプリケーション５３２は、ユーザと相互作用して、それが提供するユーザデータを生成することができる。
【０１６２】
図１３に示されたホストコンピュータ５１０と、基地局５２０と、ＵＥ５３０とは、それぞれ、図１２のホストコンピュータ４３０と、基地局４１２ａ、４１２ｂ、４１２ｃのうちの１つと、ＵＥ４９１、４９２のうちの１つと類似する又は同一であってもよいことに留意されたい。すなわち、これらのエンティティの内部の動きは、図１０に示されるようでもよく、独立して、周囲のネットワークトポロジは、図１２のそれでもよい。
【０１６３】
図１３において、ＯＴＴ接続５５０は、媒介デバイスの明示的参照及びこれらのデバイスを介するメッセージの正確なルーティングなしに、基地局５２０を介するホストコンピュータ５１０とＵＥ５３０との間の通信を説明するために抽象的に描かれてある。ネットワークインフラストラクチャは、ルーティングを判定することができ、それは、ＵＥ５３０から若しくはサービスプロバイダオペレーティングホストコンピュータ５１０から又はその両方から隠すように設定され得る。ＯＴＴ接続５５０がアクティブである間、ネットワークインフラストラクチャは、それがルーティングを動的に変更する判定（たとえば、ネットワークの負荷バランシング検討又は再設定に基づく）をさらに行うことができる。
【０１６４】
ＵＥ５３０と基地局５２０との間の無線接続５７０は、本開示を通じて説明される実施形態の教示に従う。様々な実施形態のうちの１つ又は複数は、無線接続５７０が最後のセグメントを形成する、ＯＴＴ接続５５０を使用してＵＥ５３０に提供されるＯＴＴサービスのパフォーマンスを改善する。より正確には、これらの実施形態の教示は、シグナリングオーバヘッドを改善し、レイテンシを低減することができ、ユーザのためのより高速なインターネットアクセスを実現することができる。
【０１６５】
測定手続きは、１つ又は複数の実施形態が改善するモニタリングデータレート、レイテンシ及び他の要因を目的として、提供され得る。測定結果の変動に応答して、ホストコンピュータ５１０とＵＥ５３０との間のＯＴＴ接続５５０を再設定するためのオプションのネットワーク機能性がさらに存在し得る。測定手続き及び／又はＯＴＴ接続５５０を再設定するためのネットワーク機能性は、ホストコンピュータ５１０のソフトウェア５１１及びハードウェア５１５において、又はＵＥ５３０のソフトウェア５３１及びハードウェア５３５において、又はその両方で実装され得る。実施形態において、センサ（図示せず）は、ＯＴＴ接続５５０が通過する通信デバイスにおいて又はそのような通信デバイスに関連して配備され得、センサは、上記で例示されたモニタされる数量の値を供給すること、或いはそこからソフトウェア５１１、５３１がモニタされる数量を計算又は推定し得る他の物理数量の値を供給することによって、測定手続きに参加し得る。ＯＴＴ接続５５０の再設定は、メッセージフォーマット、再送信設定、好ましいルーティングなどを含み得、再設定は基地局５２０に影響を及ぼす必要はなく、そして、それは基地局５２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ５１０の測定を円滑にする占有ＵＥシグナリングを含み得る。ソフトウェア５１１及び５３１が、ＯＴＴ接続５５０を使用し、それが伝搬時間、エラーなどをモニタする間に、メッセージ、具体的には空の又は「ダミー」メッセージ、を送信させるので、測定は実装され得る。
【０１６６】
図１４は、１つの実施形態による、通信システムにおいて実装される方法を示す流れ図である。通信システムは、図１２及び１３を参照して説明されるものでもよいホストコンピュータ、基地局及びＵＥを含む。本開示を簡単にするために、図１４のみの図面の参照が、このセクションに含まれることになる。ステップ６１０において、ホストコンピュータはユーザデータを提供する。ステップ６１０のサブステップ６１１（オプションでもよい）では、ホストコンピュータは、ホストアプリケーションを実行することによって、ユーザデータを提供する。ステップ６２０では、ホストコンピュータは、ユーザデータをＵＥに運ぶ送信を開始する。ステップ６３０（オプションでもよい）では、基地局が、本開示を通して説明される実施形態の教示に従って、ホストコンピュータが開始した送信において運ばれたユーザデータをＵＥに送信する。ステップ６４０（やはりオプションでもよい）で、ＵＥは、ホストコンピュータによって実行されるホストアプリケーションに関連するクライアントアプリケーションを実行する。
【０１６７】
図１５は、１つの実施形態による、通信システムにおいて実装される方法を示す流れ図である。通信システムは、図１２及び１３を参照して説明されるものでもよいホストコンピュータ、基地局及びＵＥを含む。本開示を簡単にするために、図１５の図面の参照のみが、このセクションに含まれることになる。本方法のステップ７１０において、ホストコンピュータはユーザデータを提供する。オプションのサブステップ（図示せず）において、ホストコンピュータは、ホストアプリケーションを実行することによって、ユーザデータを提供する。ステップ７２０で、ホストコンピュータは、ユーザデータをＵＥに運ぶ送信を開始する。送信は、本開示を通して説明される実施形態の教示によれば、基地局を通り得る。ステップ７３０（オプションでもよい）で、ＵＥは、その送信で運ばれたユーザデータを受信する。
【０１６８】
図１６は、１つの実施形態による、通信システムにおいて実装される方法を示す流れ図である。通信システムは、図１２及び１３を参照して説明されるものでもよいホストコンピュータ、基地局及びＵＥを含む。本開示を簡単にするために、図１６の図面の参照のみが、このセクションに含まれることになる。ステップ８１０（オプションでもよい）で、ＵＥは、ホストコンピュータによって提供された入力データを受信する。追加で又は別法として、ステップ８２０で、ＵＥはユーザデータを提供する。ステップ８２０のサブステップ８２１（オプションでもよい）で、ＵＥは、クライアントアプリケーションを実行することによって、ユーザデータを提供する。ステップ８１０のサブステップ８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式にかかわらず、ＵＥは、サブステップ８３０（オプションでもよい）で、ユーザデータのホストコンピュータへの送信を開始する。本方法のステップ８４０において、ホストコンピュータは、本開示を通して説明される実施形態の教示によれば、ＵＥから送信されたユーザデータを受信する。
【０１６９】
図１７は、１つの実施形態による、通信システムにおいて実装された方法を示す流れ図である。通信システムは、図１２及び１３を参照して説明されるものでもよいホストコンピュータ、基地局及びＵＥを含む。本開示を簡単にするために、図１７の図面の参照のみが、このセクションに含まれることになる。ステップ９１０（オプションでもよい）において、本開示を通して説明される実施形態の教示に従って、基地局は、ユーザデータをＵＥから受信する。ステップ９２０（オプションでもよい）で、基地局は、受信されたユーザデータのホストコンピュータへの送信を開始する。ステップ９３０（オプションでもよい）で、ホストコンピュータは、基地局によって開始された送信で運ばれたユーザデータを受信する。
【０１７０】
ユニットという用語は、電子工学、電気デバイス及び／又は電子デバイスの分野における従来の意味を有し得、たとえば、本明細書に記載されているものなどのような、電気及び／又は電子回路、デバイス、モジュール、プロセッサ、メモリ、ロジックソリッドステート及び／又はディスクリートデバイス、それぞれのタスク、手続き、計算、出力、及び／又は表示機能を実行するためのコンピュータプログラム又は命令などを含み得る。
【０１７１】
一般に、本明細書で使用されるすべての用語は、異なる意味が明確に与えられている及び／又はそれが使用されている文脈において暗示されている場合を除いて、関連技術分野におけるそれらの通常の意味に従って解釈されることになる。要素、装置、構成要素、手段、ステップなどへのすべての参照は、特に明示的な記載のない限り、要素、装置、構成要素、手段、ステップなどの少なくとも１つのインスタンスを参照するものとしてオープンに解釈されることになる。本明細書で開示されるいずれの方法のステップも、ステップが別のステップに続く若しくは先行するものとして明示的に記述されている及び／又はステップが別のステップに続く若しくは先行する必要があることが黙示されている場合を除いて、開示された正確な順番で実行される必要はない。本明細書で開示される実施形態のいずれかの任意の特徴は、適切であれば、任意の他の実施形態に適用され得る。同様に、実施形態のいずれかの任意の優位性は、任意の他の実施形態に適用され得、逆もまた同様である。含まれる実施形態の他の目的、特徴及び優位性が、以下の説明から明らかとなろう。
【０１７２】
本明細書で開示されているシステム及び装置には、本発明の範囲から逸脱することなく、修正、追加、又は省略が行われ得る。システム及び装置の構成要素は、統合又は分離され得る。さらに、システム及び装置の動作は、より多数の、より少数の、又は他の構成要素によって実行され得る。加えて、システム及び装置の動作は、ソフトウェア、ハードウェア、及び／又は他のロジックを含む任意の適切なロジックを使用して、実行され得る。本文書では、「各」は、セットの各メンバ又はセットのうちのサブセットの各メンバを指す。
【０１７３】
本明細書で開示される方法には、本発明の範囲から逸脱することなく、修正、追加、又は省略が行われ得る。本方法は、より多数の、より少数の、又は他のステップを含み得る。加えて、ステップは、任意の適切な順番で実行され得る。
【０１７４】
前述の説明は、多数の具体的な詳細を明記している。しかしながら、実施形態は、これらの具体的な詳細なしに、実施され得ることが理解される。他の例では、よく知られている回路、構造及び技法は、本明細書の理解を曖昧にしないために、詳細には示されていない。含まれている説明で、当業者は、必要以上の実験なしに適切な機能を実施することができることになる。
【０１７５】
本明細書における「１つの実施形態」、「一実施形態」、「例示的実施形態」などの参照は、記載された実施形態は特定の特徴、構造、又は特性を含み得るが、あらゆる実施形態が必ずしも特定の特徴、構造、又は特性を含まない可能性があることを示す。さらに、そのような表現は、必ずしも同じ実施形態を参照していない。さらに、特定の特徴、構造、又は特性が、一実施形態に関して説明されているとき、明示的に記述されていてもいなくても、他の実施形態に関連してそのような特徴、構造、又は特性を実装することは当業者の認識内にあることが提示される。
【０１７６】
本開示は、ある種の実施形態に関して説明されてあるが、実施形態の改変及び置換が、当業者には明らかとなろう。したがって、実施形態の前述の説明は、本開示を制約しない。他の変更、置換、及び改変が、後述の特許請求の範囲によって規定されるものとしての本開示の趣旨及び範囲から逸脱することなく、可能である。
【０１７７】
以下の略語のうちの少なくともいくつかが、本開示で使用され得る。略語の間に不一致が存在する場合、それが前述でどのように使用されているかが優先されるべきである。後述で複数回列挙されている場合、第１の項目が、どの後続の項目よりも選ばれるべきである。
【０１７８】
略語 説明
１ｘＲＴＴ      ＣＤＭＡ２０００１ｘ無線送信技術
３ＧＰＰ        第３世代パートナーシッププロジェクト
５Ｇ            第５世代
５ＧＣ          ５Ｇコア
ＡＢＳ          オールモストブランクサブフレーム
ＡＲＱ          自動再送要求
ＡＷＧＮ        加算性白色ガウス雑音
ＢＣＣＨ        ブロードキャスト制御チャネル
ＢＣＨ          ブロードキャストチャネル
ＢＬＥＲ        ブロック誤り率
ＣＡ            キャリアアグリゲーション
ＣＣ            キャリア構成要素
ＣＣＣＨ        ＳＤＵ共通制御チャネルＳＤＵ
ＣＤＭＡ        コード分割多重アクセス
ＣＧＩ          セルグローバル識別子
ＣＩＲ          チャネルインパルス応答
ＣＰ            サイクリックプレフィックス又は制御プレーン
ＣＰＩＣＨ      共通パイロットチャネル
ＣＰＩＣＨ  Ｅｃ／Ｎｏ      ＣＰＩＣＨ  帯域内の電力密度によって分割されたチップごとの受信エネルギ
ＣＲＳ          セル参照信号
ＣＱＩ          チャネル品質情報
Ｃ−ＲＮＴＩ    セルＲＮＴＩ
ＣＳＩ          チャネル状態情報
ＤＣ            デュアルコネクティビティ
ＤＣＣＨ        専用制御チャネル
ＤＣＩ          ダウンリンク制御情報
ＤＦＴＳ  ＯＦＤＭ      離散フーリエ変換スプレッドＯＦＤＭ
ＤＬ            ダウンリンク
ＤＭ            復調
ＤＭＲＳ        復調用参照信号
ＤＲＸ          間欠受信
ＤＴＸ          間欠送信
ＤＴＣＨ        専用トラフィックチャネル
ＤＵＴ          被試験デバイス
Ｅ−ＣＩＤ      拡張セルＩＤ（位置決め方法）
Ｅ−ＳＭＬＣ    エボルブドサービングモバイルロケーションセンタ
ＥＣＧＩ        エボルブドＣＧＩ
ＥＮ−ＤＣ      ＥＵＴＲＡＮ−ＮＲデュアルコネクティビティ
ｅＮＢ          Ｅ−ＵＴＲＡＮノードＢ
ＥＰＣ          エボルブドパケットコア
ｅＰＤＣＣＨ    拡張物理ダウンリンク制御チャネル
Ｅ−ＳＭＬＣ    エボルブドサービングモバイルロケーションセンタ
Ｅ−ＵＴＲＡ    エボルブドＵＴＲＡ
Ｅ−ＵＴＲＡＮ  エボルブドＵＴＲＡＮ
ＦＤＤ          周波数分割複信
ＧＥＲＡＮ      ＧＳＭ  ＥＤＧＥ無線アクセスネットワーク
ｇＮＢ          ＮＲにおける基地局
ＧＮＳＳ        全地球的航法衛星システム
ＧＳＭ          汎欧州デジタル移動電話方式
ＧＰＲＳ        汎用パケット無線サービス
ＧＳＭ          汎欧州デジタル移動電話方式
ＨＡＲＱ        ハイブリッド自動再送要求
ＨＯ            ハンドオーバ
ＨＳＰＡ        高速パケットアクセス
ＨＲＰＤ        高速パケットデータ
ＩＲ−ＨＡＲＱ  インクリメンタルリダンダンシＨＡＲＱ
ＬＯＳ          見通し線
ＬＰＰ          ＬＴＥ配置プロトコル
ＬＴＥ          Ｌｏｎｇ−Ｔｅｒｍ  Ｅｖｏｌｕｔｉｏｎ
ＭＡＣ          媒体アクセス制御
ＭＢＭＳ        マルチメディアブロードキャストマルチキャストサービス
ＭＢＳＦＮ      マルチメディアブロードキャストマルチキャストサービス単一周波数ネットワーク
ＭＢＳＦＮ  ＡＢＳ      ＭＢＳＦＮオールモストブランクサブフレーム
ＭＣＧ          （デュアルコネクティビティにおけるマスタノードに関連する）マスタセルグループ
ＭＤＴ          運転テストの最小化
ＭＩＢ          マスタ情報ブロック
ＭＩＭＯ        多重入出力
ＭＭＥ          モビリティ管理エンティティ
ＭＮ            マスタノード
ＭＲ−ＤＣ      マルチプルＲＡＴデュアルコネクティビティ
ＭＳＣ          モバイル交換局
ＮＧ            次世代
ＮＰＤＣＣＨ    狭帯域物理ダウンリンク制御チャネル
ＮＲ            新無線（Ｎｅｗ  Ｒａｄｉｏ）
ＮＳＡ          非独立型ＮＲ
ＯＣＮＧ        ＯＦＤＭＡチャネル雑音発生器
ＯＦＤＭ        直交周波数分割多重
ＯＦＤＭＡ      直交周波数分割多重アクセス
ＯＳＳ          運用サポートシステム
ＯＴＤＯＡ      観測された到達時間差
Ｏ＆Ｍ          運用保守
ＰＢＣＨ        物理ブロードキャストチャネル
Ｐ−ＣＣＰＣＨ  １次共通制御物理チャネル
Ｐセル          １次セル
ＰＣＩ          物理セル識別情報
ＰＣＦＩＣＨ    物理制御フォーマット指示チャネル
ＰＣＲＦ        ポリシ及び課金ルール機能
ＰＤＣＣＨ      物理ダウンリンク制御チャネル
ＰＤＰ          プロファイル遅延プロファイル
ＰＤＳＣＨ      物理ダウンリンク共有チャネル
ＰＧＷ          パケットゲートウェイ
ＰＨＩＣＨ      物理ハイブリッド自動再送要求指示チャネル
ＰＬＭＮ        公衆陸上移動体通信網
ＰＭＩ          プリコーダマトリックスインジケータ
ＰＲＡＣＨ      物理ランダムアクセスチャネル
ＰＲＳ          配置参照信号
ＰＳＳ          １次同期信号
ＰＵＣＣＨ      物理アップリンク制御チャネル
ＰＵＳＣＨ      物理アップリンク共有チャネル
ＲＡＣＨ        ランダムアクセスチャネル
ＱＡＭ          直交振幅変調
ＲＡＮ          無線アクセスネットワーク
ＲＡＴ          無線アクセス技術
ＲＦ            無線周波数
ＲＬＣ          無線リンク制御
ＲＬＭ          無線リンク管理
ＲＮＣ          無線ネットワークコントローラ
ＲＮＴＩ        無線ネットワーク一時識別子
ＲＲＣ          無線リソース制御
ＲＲＭ          無線リソース管理
ＲＳ            参照信号
ＲＳＣＰ        受信信号コードパワー
ＲＳＲＰ        基準シンボル受信電力、又は
参照信号受信電力
ＲＳＲＱ        参照信号受信品質、又は   
基準シンボル受信品質
ＲＳＳＩ        受信信号強度インジケータ
ＲＳＴＤ        参照信号時間差
ＳＡ            独立型ＮＲ
ＳＣＨ          同期チャネル
Ｓセル          ２次セル
ＳＤＵ          サービスデータユニット
ＳＦＮ          システムフレーム番号
ＳＧＷ          サービングゲートウェイ
ＳＩ            システム情報
ＳＩＢ          システム情報ブロック
ＳＩＢ１        システム情報ブロックタイプ１
ＳＮ            ２次ノード
ＳＮＲ          信号対雑音比
ＳＯＮ          自動最適化ネットワーク
ＳＳ            同期信号
ＳＳＳ          ２次同期信号
ＴＤＤ          時分割複信
ＴＤＯＡ        到達時間差
ＴＯＡ          到達時間
ＴＳＳ          ３次同期信号
ＴＴＩ          送信時間間隔
ＵＥ            ユーザ機器
ＵＬ            アップリンク
ＵＭＴＳ        ユニバーサルモバイルテレコミュニケーションシステム
ＵＳＩＭ        ユニバーサル加入者識別情報モジュール
ＵＴＤＯＡ      アップリンク到達時間差
ＵＴＲＡ        ユニバーサル地上無線アクセス
ＵＴＲＡＮ      ユニバーサル地上無線アクセスネットワーク
Ｖ２Ｘ          ビークルトゥーエブリシング
ＶｏＩＰ        ボイスオーバーインターネットプロトコル
ＷＣＤＭＡ      ワイドＣＤＭＡ
ＷＬＡＮ        ワイドローカルエリアネットワーク
【図１】
2021523616.tif 000003
【図２】
2021523616.tif 000004
【図３】
2021523616.tif 000005
【図４】
2021523616.tif 000006
【図５】
2021523616.tif 000007
【図６】
2021523616.tif 000008
【図７】
2021523616.tif 000009
【図８】
2021523616.tif 000010
【図９】
2021523616.tif 000011
【図１０】
2021523616.tif 000012
【図１１】
2021523616.tif 000013
【図１２】
2021523616.tif 000014
【図１３】
2021523616.tif 000015
【図１４】
2021523616.tif 000016
【図１５】
2021523616.tif 000017
【図１６】
2021523616.tif 000018
【図１７】
2021523616.tif 000019
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
測定報告のための無線デバイスによって実行される方法であって、
近隣セルのための測定報告を実行するための命令を受信すること（８１２）と、
前記近隣セルの無線アクセス技術（ＲＡＴ）及び前記近隣セルの周波数範囲に少なくとも基づいて、前記測定報告を実行するための測定報告タイマ値を決定すること（８１６）と、
前記決定された測定報告タイマ値によって指定された時間に前記近隣セルの無線信号を測定すること（８１８）と
を含む、方法。
【請求項２】
測定報告の能力を有する無線デバイス（１１０）であって、
近隣セルのための測定報告を実行するための命令を受信することと、
前記近隣セルの無線アクセス技術（ＲＡＴ）及び前記近隣セルの周波数範囲に少なくとも基づいて、前記測定報告を実行するための測定報告タイマ値を決定することと、
前記決定された測定報告タイマ値によって指定された時間に前記近隣セルの無線信号を測定することと
を行うように動作可能な処理回路（１２０）を備える、無線デバイス。
【請求項３】
前記測定報告が、セルグローバル識別子（ＣＧＩ）報告を含む、請求項２に記載の無線デバイス。
【請求項４】
前記近隣セルＲＡＴが、第５世代（５Ｇ）新無線（ＮＲ）である、請求項２又は３に記載の無線デバイス。
【請求項５】
前記処理回路が、第１の周波数範囲で動作する近隣セルの第１の測定報告タイマ値と第２の周波数範囲で動作する近隣セルの第２の測定報告タイマ値との両方を決定することによって、前記測定報告タイマ値を決定するように動作可能である、請求項２から４のいずれか一項に記載の無線デバイス。
【請求項６】
前記第１の周波数範囲が、４５０メガヘルツから６ギガヘルツまでの範囲を含み、前記第１の測定報告タイマの値が、２秒であり、前記第２の周波数範囲が、２４．２５ギガヘルツから５２．６ギガヘルツまでの範囲を含み、かつ、前記第２の測定報告タイマの値が、１６秒である、請求項５に記載の無線デバイス。
【請求項７】
前記無線デバイスが、２つ以上のトランシーバを備え、前記処理回路がさらに、前記測定報告を実行するための前記２つ以上のトランシーバのうちの１つを選択するように動作可能であり、、前記処理回路が、前記選択されたトランシーバにさらに基づいて前記測定報告タイマ値を決定する、請求項２から６のいずれか一項に記載の無線デバイス。
【請求項８】
前記処理回路が、前記選択されたトランシーバの周波数範囲に基づいて前記測定報告タイマ値を決定することによって前記選択されたトランシーバに基づいて前記測定報告タイマ値を決定するように動作可能である、請求項７に記載の無線デバイス。
【請求項９】
前記処理回路が、前記選択されたトランシーバのＲＡＴに基づいて前記測定報告タイマ値を決定することによって前記選択されたトランシーバに基づいて前記測定報告タイマ値を決定するように動作可能である、請求項７又は８に記載の無線デバイス。
【請求項１０】
測定報告のためのネットワークノードにおいて使用するための方法であって、
近隣セルの無線アクセス技術（ＲＡＴ）及び前記近隣セルの周波数範囲に少なくとも基づいて、測定報告を実行するための無線デバイスのための測定報告タイマ値を決定すること（９１４）と、
前記決定された測定報告タイマ値を前記無線デバイスに送信すること（９１６）と
を含む、方法。
【請求項１１】
測定報告の能力を有するネットワークノード（１６０）であって、
近隣セルの無線アクセス技術（ＲＡＴ）及び前記近隣セルの周波数範囲に少なくとも基づいて、測定報告を実行するための無線デバイスのための測定報告タイマ値を決定することと、
前記決定された測定報告タイマ値を前記無線デバイスに送信することと
を行うように動作可能な処理回路（１７０）を備える、ネットワークノード。
【請求項１２】
前記測定報告が、セルグローバル識別子（ＣＧＩ）報告を含む、請求項１１に記載のネットワークノード。
【請求項１３】
前記近隣セルＲＡＴが、第５世代（５Ｇ）新無線（ＮＲ）である、請求項１１又は１２に記載のネットワークノード。
【請求項１４】
前記処理回路が、第１の周波数範囲で動作する近隣セルの第１の測定報告タイマ値と第２の周波数範囲で動作する近隣セルの第２の測定報告タイマ値との両方を決定することによって前記測定報告タイマ値を決定するように動作可能である、請求項１１から１３のいずれか一項に記載のネットワークノード。
【請求項１５】
前記第１の周波数範囲が、４５０メガヘルツから６ギガヘルツまでの範囲を含み、前記第１の測定報告タイマの値が、２秒であり、前記第２の周波数範囲が、２４．２５ギガヘルツから５２．６ギガヘルツまでの範囲を含み、かつ、前記第２の測定報告タイマの値が、１６秒である、請求項１４に記載のネットワークノード。
【請求項１６】
前記無線デバイスが、２つ以上のトランシーバを備え、前記処理回路が、前記２つ以上のトランシーバのうちの選択されたトランシーバにさらに基づいて前記測定報告タイマ値を決定するように動作可能であり、、前記処理回路がさらに、前記選択された受信器の指示を前記無線デバイスに送信するように動作可能である、請求項１１から１５のいずれか一項に記載のネットワークノード。
【請求項１７】
前記処理回路が、前記選択されたトランシーバの周波数範囲に基づいて前記測定報告タイマ値を決定することによって前記選択されたトランシーバに基づいて前記測定報告タイマ値を決定するように動作可能である、請求項１６に記載のネットワークノード。
【請求項１８】
前記処理回路が、前記選択されたトランシーバのＲＡＴに基づいて前記測定報告タイマ値を決定することによって前記選択されたトランシーバに基づいて前記測定報告タイマ値を決定するように動作可能である、請求項１６又は１７に記載のネットワークノード。
【請求項１９】
測定報告の能力を有する無線デバイス（１１０）であって、前記無線デバイスが、受信モジュール（１６０２）、決定モジュール（１６０４）、及び測定モジュール（１６０６）を備え、
前記受信モジュールが、近隣セルのための測定報告を実行するための指示を受信するように動作可能であり、
前記決定モジュールが、前記近隣セルの無線アクセス技術（ＲＡＴ）及び前記近隣セルの周波数範囲に少なくとも基づいて、前記測定報告を実行するための測定報告タイマ値を決定するように動作可能であり、、
前記測定モジュールが、前記決定された測定報告タイマ値によって指定された時間に前記近隣セルの無線信号を測定するように動作可能である、
無線デバイス。
【請求項２０】
測定報告の能力を有するネットワークノード（１６０）であって、前記ネットワークノードが、決定モジュール（１７０２）及び送信モジュール（１７０４）を備え、
前記決定モジュールが、近隣セルの無線アクセス技術（ＲＡＴ）及び前記近隣セルの周波数範囲に少なくとも基づいて、測定報告を実行するための無線デバイスのための測定報告タイマ値を決定するように動作可能であり、、
前記送信モジュールが、前記決定された測定報告タイマ値を前記無線デバイスに送信するように動作可能である、
ネットワークノード。
【国際調査報告】
2021523616.tif 000020
2021523616.tif 000021
2021523616.tif 000022